(57)【要約】  参照信号のリソースを適切に制限可能とし、ＩＣＩＣの適用効果を高める。ＳＲＳ生成部（１５４）は、参照信号としてのＳＲＳを生成し、送信部（１５５）は、受信部（１５６）からのＳＲＳ情報に基づいて、ＳＲＳの送信を行う。この際、ＳＲＳ情報に含まれる設定された送信中断リソースとしてのＳＲＳドロップリソースを示す情報を用いて、ＳＲＳを送信するためのＳＲＳ送信リソースがＳＲＳドロップリソースに該当すると判定されたリソースでは、送信部（１５５）からのＳＲＳの送信を中断する。
2013038716.tif 000002
【特許請求の範囲】
【請求項１】
設定された送信中断リソースを示す情報を受信する受信部と、
参照信号を生成する参照信号生成部と、
前記参照信号を送信するための１または複数の送信リソースのうち、前記送信中断リソースに該当しない送信リソースにおいて、前記参照信号を送信する送信部と、
を備える無線送信装置。
【請求項２】
前記送信部は、前記１または複数の送信リソースのうちの前記送信中断リソースにおいて、判定基準に基づいて前記無線送信装置が与える干渉が大きいと判定された場合、前記送信中断リソースにおける前記参照信号の送信を中断する請求項１記載の無線送信装置。
【請求項３】
前記判定基準は、前記無線送信装置の参照信号の送信帯域幅が閾値以下である場合に、前記無線送信装置が与える干渉が大きいと判定することを定義する請求項２記載の無線送信装置。
【請求項４】
前記判定基準は、前記無線送信装置がセルエッジ領域に位置する場合に、前記無線送信装置が与える干渉が大きいと判定することを定義する請求項２記載の無線送信装置。
【請求項５】
前記判定基準は、前記無線送信装置と無線受信装置との間のパスロスが閾値以上の場合に、前記無線送信装置が与える干渉が大きいと判定することを定義する請求項２記載の無線送信装置。
【請求項６】
前記判定基準は、前記無線送信装置の送信信号のパワーヘッドルームが閾値以下の場合に、前記無線送信装置が与える干渉が大きいと判定することを定義する請求項２記載の無線送信装置。
【請求項７】
前記送信中断リソースは、前記参照信号の送信を中断する周波数帯域を示す送信中断周波数帯域、または、前記参照信号の送信を中断するサブフレームを示す送信中断サブフレームである請求項１または２に記載の無線送信装置。
【請求項８】
前記送信中断周波数帯域は、前記無線送信装置が利用可能な送信周波数帯域の位置を示すビットシーケンスで表される請求項７記載の無線送信装置。
【請求項９】
前記送信中断リソースは、前記参照信号の送信を中断する周波数帯域を示す送信中断周波数帯域であり、前記閾値は前記送信中断周波数帯域の帯域幅から導出される請求項３、５、６のうちのいずれか一項に記載の無線送信装置。
【請求項１０】
前記参照信号の第１送信帯域が前記送信中断リソースである参照信号の送信を中断する周波数帯域を示す送信中断帯域と一致する場合、あるいは、前記参照信号の第１送信帯域が前記送信中断帯域と一致する場合であってかつ判定基準に基づいて前記無線送信装置が与える干渉が大きいと判定された場合、前記送信部は、次の参照信号の送信に用いられるサブフレーム以降に割り当てられる送信帯域であってかつ前記送信中断帯域と一致しない送信帯域である第２送信帯域において、前記参照信号を送信する請求項１記載の無線送信装置。
【請求項１１】
前記送信中断サブフレームは、下り回線ＡＢＳ（Almost Blank Subframe）から４サブフレーム後のサブフレームである請求項７記載の無線送信装置。
【請求項１２】
参照信号を受信する受信部と、
前記参照信号を送信するための送信リソースが設定された送信中断リソースに該当しない場合、受信した前記参照信号を用いてチャネル推定を行うチャネル推定部と、
を備える無線受信装置。
【請求項１３】
前記チャネル推定部は、前記送信リソースが前記送信中断リソースに該当し、かつ、判定基準に基づいて無線送信装置が与える干渉が大きいと判定された場合、前記チャネル推定を中断する請求項１２記載の無線受信装置。
【請求項１４】
前記送信中断リソースにおける前記参照信号の送信の中断を示す送信中断情報を前記無線送信装置へ送信する送信部、をさらに備える請求項１２記載の無線受信装置。
【請求項１５】
設定された送信中断リソースを示す情報を受信するステップと、参照信号を送信するための１または複数の送信リソースのうち、前記送信中断リソースに該当しない送信リソースでは、前記参照信号を送信するステップとを含む無線通信方法。
【請求項１６】
参照信号を受信するステップと、前記参照信号を送信するための送信リソースが設定された送信中断リソースに該当しない場合、受信された前記参照信号を用いてチャネル推定を行うステップとを含む無線通信方法。
【発明の詳細な説明】
【技術分野】
【０００１】
本発明は、セルラーシステム等の無線通信システムに適用可能な無線送信装置及び無線受信装置、並びに無線通信方法に関する。
【背景技術】
【０００２】
セルラーシステム等の無線通信システムでは、伝搬路及び伝送信号の各種指標を得るための参照信号（ＲＳ：Reference Signal）が導入されている。例えば、移動体通信の国際的な標準化団体である３ＧＰＰ（3rd Generation Partnership Project）において検討されている次世代通信システムのＬＴＥ（Long Term Evolution）、及びLTE-advanced(Rel.10)では、上り回線における参照信号の一つとして、ＳＲＳ（Sounding Reference Signal）が用いられる。無線通信システムの上り回線では、上り方向の通信として、送信装置（例えば端末（User Equipment：UE））から受信装置（例えば基地局（e-NodeB：eNB））にデータが伝送される。【０００３】
“Sounding”とは回線品質を推定することを意味する。ＳＲＳは、主に、上り回線データチャネルの伝搬路におけるチャネル品質を、上り回線データの受信装置（例えば基地局）が推定するために、上り回線データシンボルと時間多重されて送信される。【０００４】
以下に、ＳＲＳの送信方法の一例を示す（非特許文献１参照）。この例では、上り回線の送信装置（例えば端末）は、送信周波数帯域を所定の時間ごとに変えながら（周波数ホッピングを用いて）狭帯域においてＳＲＳを送信し、上り回線の受信装置は、数回の狭帯域ＳＲＳを用いて広帯域のSoundingを行う。【０００５】
図１は、非特許文献１に記載された周波数ホッピングを用いたＳＲＳ送信方法の一例を示す図である。無線通信システムの各セルでは、ＳＲＳの送信帯域（狭帯域）幅として、端末に対して４つのＳＲＳ送信帯域幅（図中のＳＲＳ  ＢＷ：ｂ＝０〜３）のうちのいずれかが設定できる。また、周波数ホッピング範囲は、上記ＳＲＳ  ＢＷのうちのいずれか（図中のSRS Hopping BW:bhop=0〜3）が設定できる。【０００６】
周波数領域の設定用のＳＲＳパラメータとして、上記のＳＲＳ送信帯域幅ｂと周波数ホッピング範囲ｂｈｏｐとともに、初期送信帯域位置が設定される。これらのＳＲＳパラメータを、ホッピングパターン（周波数の変化量）を表す所定の式に代入することによって、周波数ホッピングを行う際の各送信タイミングでのＳＲＳの送信帯域が決定される。【０００７】
なお、端末のＳＲＳ送信帯域幅が周波数ホッピング範囲以上（つまり、ｂ≦ｂｈｏｐ）に設定された場合は、端末において周波数ホッピングは適用されない。このように、従来のＳＲＳ送信方法においては、連続した周波数帯域の周波数ホッピングが設定できる。【０００８】
一方、次のバージョンのLTE-Advanced(Rel.11)では、通信回線の更なるキャパシティ向上のため、カバーエリアの大きさが異なる複数の基地局を用いたヘテロジーニアスネットワーク（Heterogeneous Network：ＨｅｔＮｅｔ）が検討されている。具体的には、例えば、送信電力が大きいマクロセル（High Power Node（ＨＰＮ）とも呼ばれる）のカバーエリア内に、ピコセル（Low Power Node（ＬＰＮ）、小電力Remote Radio Head（ＲＲＨ）とも呼ばれる）を配置したＨｅｔＮｅｔの運用が検討されている。【０００９】
このようなＨｅｔＮｅｔ環境では、マクロセルの基地局（Macro eNB）によって制御される端末（以下、マクロ端末（Macro UE））から、ピコセルの基地局（Pico eNB）によって制御される端末（以下、ピコ端末（Pico UE））への上り回線信号の干渉（上り回線干渉）が問題となる。【００１０】
図２は、ＨｅｔＮｅｔ環境における上り回線干渉の一例を説明する図である。マクロ端末（Macro UE）１１の上り回線送信信号は、マクロセル１０の基地局１２（Macro eNB）において適切な受信レベルで受信される必要がある。このため、マクロ端末１１の上り回線送信電力として、マクロ端末１１とマクロセル１０の基地局１２間のパスロス（Path Loss）を補償するための電力が設定される。一方、ピコ端末（Pico UE）２１の上り回線送信電力は、ピコ端末２１とピコセル２０の基地局（Pico eNB）２２間のパスロスを補償するための電力が設定される。【００１１】
ここで、マクロ端末１１がマクロセル１０のセルエッジ付近の領域（以下、セルエッジ領域）に位置する場合、あるいはマクロセル１０の基地局１２からの直接波が受信困難な場所であるビルなどの障害物の陰に位置する場合などでは、マクロ端末１１とマクロセル１０の基地局１２間のパスロスが大きくなる。【００１２】
この場合、マクロ端末１１の上り回線送信電力がピコ端末２１の上り回線送信電力よりも大きくなることが推測される。つまり、このような状況では、マクロ端末１１の上り回線送信信号がピコ端末２１の上り回線送信信号に対して、大きな干渉の要因となる可能性がある。特に、マクロ端末１１がピコセル２０付近に位置する場合は、上り回線干渉の影響がより大きくなる。
【先行技術文献】
【非特許文献】
【００１３】
【非特許文献１】3GPP TS 36.211 V10.0.0，5.5.3.2  Mapping to physical resources，"Physical Channels and Modulation (Release 10)"
【非特許文献２】3GPP TSG RAN WG1 #63，R1-106053，Samsung，"ICIC Suport for SRS Transmissions"，November, 2010
【発明の概要】
【発明が解決しようとする課題】
【００１４】
ＨｅｔＮｅｔ環境における干渉対策として、干渉源となるセルにおいて、送信用に割り当てられた送信リソースの利用を制限するセル間干渉制御（ＩＣＩＣ：Inter-Cell Interference Control）が考えられる。これにより、干渉を受けるセルでは、制限された送信リソースにおいて、干渉源となるセルからの干渉信号が送信されないために干渉を受けないようにすることができる。送信リソースの制限としては、周波数領域のリソース制限、時間領域のリソース制限などが考えられる。【００１５】
ＩＣＩＣの一例を挙げると、上り回線干渉対策として、マクロ端末が送信する周波数帯域である送信帯域を制限することにより、ピコセルへ与える干渉を低減する、周波数領域のセル間干渉制御（以下「周波数領域ＩＣＩＣ」という）が検討されている。例えば、非特許文献２では、マクロ端末の送信帯域を非連続に設けることが検討されている。【００１６】
図３は、上り回線における周波数領域ＩＣＩＣの例を示す図である。図３中ドットで示されるマクロ端末の送信帯域３１を非連続に設けることにより、マクロ端末は離散的かつ広帯域に上り回線信号を送信できるので、周波数ダイバーシチ利得が得られる。一方、ピコセルでは、マクロ端末が上り回線信号を送信するために使用しない周波数帯域をピコ端末の上り回線信号用にスケジューリングすること（すなわち、ピコ端末が上り回線信号を送信するために用いる帯域として、マクロ端末が上り回線信号を送信するために使用しない周波数帯域を割り当てること）により、マクロ端末からの干渉の影響が抑制される。【００１７】
また、ＩＣＩＣの別の一例として、ＬＴＥ−ａｄｖａｎｃｅｄの下り回線では、ＡＢＳ（Almost Blank Subframe）を用いた時間領域のセル間干渉制御（以下「時間領域ＩＣＩＣ」という）がサポートされている。ＡＢＳは、基地局からの下り回線信号が送信されないサブフレームである。下り回線の時間領域ＩＣＩＣでは、マクロセルの基地局が予め定められたタイミングにＡＢＳを設けることで、周辺のピコセルへの下り回線干渉による性能劣化が抑制される。【００１８】
しかしながら、ＩＣＩＣを行うための従来の設定方法においては、設定できる送信リソースの設定パターンに制約があるため、適切なリソース制限の設定ができない場合がある。このため、ＩＣＩＣの適用効果が限定的になるという課題がある。例えば、周波数領域ＩＣＩＣを適用する場合に、図１に示された従来のＳＲＳの周波数ホッピングの設定方法を用いると、ＳＲＳの送信帯域は連続した狭帯域に限定される。このため、割り当てる送信帯域によっては、上り回線の周波数領域ＩＣＩＣの適用が困難となる課題が生じる。また、同様の課題は、下り回線の周波数領域、上り回線の時間領域、および下り回線の時間領域のいずれにおいても生じる可能性がある。【００１９】
本発明は、上記事情に鑑みて考案されたものであり、参照信号のリソースを適切に制限可能とし、ＩＣＩＣの適用効果を高めることができる無線送信装置及び無線受信装置、並びに無線通信方法を提供する。
【課題を解決するための手段】
【００２０】
本発明の無線送信装置は、設定された送信中断リソースを示す情報を受信する受信部と、参照信号を生成する参照信号生成部と、前記参照信号を送信するための１または複数の送信リソースのうち、前記送信中断リソースに該当しない送信リソースで、前記参照信号を送信する送信部とを備えてもよい。【００２１】
本発明の無線受信装置は、参照信号を受信する受信部と、前記参照信号を送信するための送信リソースが設定された送信中断リソースに該当しない場合、受信した前記参照信号を用いてチャネル推定を行うチャネル推定部とを備えてもよい。【００２２】
本発明の無線通信方法は、設定された送信中断リソースを示す情報を受信するステップと、参照信号を送信するための１または複数の送信リソースのうち、前記送信中断リソースに該当しない送信リソースで、前記参照信号を送信するステップとを含む。【００２３】
本発明の無線通信方法は、参照信号を受信するステップと、前記参照信号を送信するための送信リソースが設定された送信中断リソースに該当しない場合、受信された前記参照信号を用いてチャネル推定を行うステップとを含む。
【発明の効果】
【００２４】
本発明の上記構成により、参照信号のリソースを適切に制限可能とし、ＩＣＩＣの適用効果を高めることができる。
【図面の簡単な説明】
【００２５】
【図１】非特許文献１に記載された周波数ホッピングを用いたＳＲＳ送信方法の一例を示す図
【図２】ＨｅｔＮｅｔ環境における上り回線干渉を説明する図
【図３】上り回線における周波数領域ＩＣＩＣの例を示す図
【図４】ＳＲＳ送信における周波数領域ＩＣＩＣの適用例を示した図、（Ａ）は非連続帯域でＳＲＳが送信される場合、（Ｂ）は複数の連続帯域で構成された一つの送信帯域でＳＲＳが送信される場合を示す図
【図５】（Ａ）〜（Ｃ）は第１の実施形態に係るマクロセルの基地局（受信装置）の主要部の構成を示すブロック図
【図６】（Ａ）、（Ｂ）は第１の実施形態に係るマクロ端末（送信装置）の主要部の構成を示すブロック図
【図７】第１の実施形態に係るマクロ端末のＳＲＳ送信動作を示すフローチャート
【図８】第１の実施形態に係るマクロセルの基地局のＳＲＳ受信動作を示すフローチャート
【図９】ＨｅｔＮｅｔ環境におけるセルセンタ付近のマクロ端末の上り回線干渉の一例を示す図
【図１０】（Ａ）〜（Ｃ）は第２の実施形態に係るマクロセルの基地局（受信装置）の主要部の構成を示すブロック図
【図１１】（Ａ）、（Ｂ）は第２の実施形態に係るマクロ端末（送信装置）の主要部の構成を示すブロック図
【図１２】（Ａ）、（Ｂ）は第２の実施形態における周波数領域のＳＲＳ送信中断の適用例を示す図
【図１３】ＨｅｔＮｅｔ環境におけるＳＲＳ送信中断の適用例を示す図
【図１４】ＳＲＳドロップ帯域の通知方法の一例を示す図
【図１５】第２の実施形態に係るマクロ端末のＳＲＳ送信動作を示すフローチャート
【図１６】第２の実施形態に係るマクロセルの基地局のＳＲＳ受信動作を示すフローチャート
【図１７】（Ａ）、（Ｂ）は第３の実施形態に係るマクロ端末（送信装置）の主要部の構成を示すブロック図
【図１８】（Ａ）、（Ｂ）は第３の実施形態における周波数領域のＳＲＳ送信中断の適用例を示す図
【図１９】第３の実施形態に係るマクロ端末のＳＲＳ送信動作を示すフローチャート
【図２０】第３の実施形態に係るマクロセルの基地局のＳＲＳ受信動作を示すフローチャート
【図２１】ＳＲＳ送信における時間領域ＩＣＩＣの適用例を示した図
【図２２】第４の実施形態における時間領域のＳＲＳ送信中断の適用例を示す図
【発明を実施するための形態】
【００２６】
前記送信部は、前記１または複数の送信リソースのうちの前記送信中断リソースにおいて、判定基準に基づいて前記無線送信装置が与える干渉が大きいと判定された場合、前記送信中断リソースにおける前記参照信号の送信を中断してもよい。
【００２７】
前記判定基準は、前記無線送信装置の参照信号の送信帯域幅が閾値以下である場合に、前記無線送信装置が与える干渉が大きいと判定することを定義してもよい。
前記判定基準は、前記無線送信装置がセルエッジ領域に位置する場合に、前記無線送信装置が与える干渉が大きいと判定することを定義してもよい。
前記判定基準は、前記無線送信装置と無線受信装置との間のパスロスが閾値以上の場合に、前記無線送信装置が与える干渉が大きいと判定することを定義してもよい。
前記判定基準は、前記無線送信装置の送信信号のパワーヘッドルームが閾値以下の場合に、前記無線送信装置が与える干渉が大きいと判定することを定義してもよい。
【００２８】
前記送信中断リソースは、前記参照信号の送信を中断する周波数帯域を示す送信中断周波数帯域、または、前記参照信号の送信を中断するサブフレームを示す送信中断サブフレームであってもよい。
前記送信中断周波数帯域は、前記無線送信装置が利用可能な送信周波数帯域の位置を示すビットシーケンスで表してもよい。
【００２９】
前記送信中断リソースは、前記参照信号の送信を中断する周波数帯域を示す送信中断周波数帯域であってもよく、前記閾値は前記送信中断周波数帯域の帯域幅から導出されてもよい。
【００３０】
前記参照信号の第１送信帯域が前記送信中断リソースである参照信号の送信を中断する周波数帯域を示す送信中断帯域と一致する場合、あるいは、前記参照信号の第１送信帯域が前記送信中断帯域と一致する場合であってかつ判定基準に基づいて前記無線送信装置が与える干渉が大きいと判定された場合、前記送信部は、次の参照信号の送信に用いられるサブフレーム以降に割り当てられる送信帯域であってかつ前記送信中断帯域と一致しない送信帯域である第２送信帯域において、前記参照信号を送信してもよい。
【００３１】
前記送信中断サブフレームは、下り回線ＡＢＳ（Almost Blank Subframe）から４サブフレーム後のサブフレームであってもよい。
【００３２】
前記チャネル推定部は、前記送信リソースが前記送信中断リソースに該当し、かつ、判定基準に基づいて無線送信装置が与える干渉が大きいと判定された場合、前記チャネル推定を中断してもよい。
【００３３】
本発明の無線受信装置は、前記送信中断リソースにおける前記参照信号の送信の中断を示す送信中断情報を前記無線送信装置へ送信する送信部をさらに備えてもよい。
【００３４】
本実施形態では、本発明に係る無線送信装置及び無線受信装置、並びに無線通信方法を携帯電話等の移動体通信用のセルラーシステムに適用した場合の例を示す。以下の説明では、無線通信システムにおける上り回線を仮定し、移動局の端末（ＵＥ：User Equipment）が無線送信装置（以下、「送信装置」という）となり、基地局（ＢＳ：Base Station）が無線受信装置（以下、「受信装置」という）となる場合を例示する。端末としては、図２に示されたようなＨｅｔＮｅｔ環境のマクロ端末を想定し、マクロ端末からマクロセルの基地局への上り回線において、回線品質推定用の参照信号であるＳＲＳを送信する場合の例を説明する。以下の説明において、マクロ端末を単に「端末」、マクロセルの基地局を単に「基地局」ということもある。
【００３５】
ＨｅｔＮｅｔ環境における上り回線干渉対策の第１例として、マクロ端末が送信するＳＲＳにおいて、周波数領域ＩＣＩＣを適用する場合を説明する。
例えば、周波数領域ＩＣＩＣを行う際に、図１に示されたＳＲＳの周波数ホッピングを用いて、周波数領域ＩＣＩＣの適用効果を高める方法としては、次のような方法が挙げられる。
【００３６】
図４はＳＲＳ送信における周波数領域ＩＣＩＣの適用例を示した図であり、図４（Ａ）は非連続帯域でＳＲＳが送信される場合を示し、図４（Ｂ）は複数の連続帯域で構成された一つの送信帯域でＳＲＳが送信される場合を示す。基地局は端末へＳＲＳパラメータを送信し、端末はＳＲＳパラメータによって指示された所定の帯域で基地局にＳＲＳを送信する。送信リソースの制限として、ＳＲＳが送信されない非送信帯域は、図中斜線で示されるように、図４（Ａ）の場合はＳＲＳの非送信帯域が非連続（つまり、２つの非送信帯域が周波数方向で離散する）であり、図４（Ｂ）の場合はＳＲＳの非送信帯域が連続（つまり、１つの非送信帯域または連続した複数の非送信帯域によって構成された非送信帯域が存在する）である。
【００３７】
この場合、図４（Ａ）のような非連続帯域４１，４２、及び、図４（Ｂ）のような複数の連続帯域４３のいずれにおいても、基地局は１つのＳＲＳパラメータでは非連続帯域または複数の連続帯域のＳＲＳ送信帯域を設定できない。このため、１つのＳＲＳパラメータで設定可能な送信帯域毎に、基地局はＳＲＳパラメータ設定を変更する必要がある。よって、基地局から端末へのシグナリングが増えてしまう。
【００３８】
つまり、図４（Ａ），（Ｂ）に示されるように、端末が基地局に２つの狭帯域（２クラスタ）の非連続帯域４１，４２または連続帯域４３でＳＲＳを送信する場合、基地局は初期送信帯域位置を変えた２回のＳＲＳパラメータを端末へ送信し、端末はＳＲＳパラメータを受信するたびにＳＲＳ送信帯域を設定する必要がある。ＬＴＥ仕様では、ＳＲＳパラメータ（具体的には、Sounding  RS-UL-Config Dedicated（3GPP TS 36.331参照））は、１送信当たり２４ビットの情報量である。このＳＲＳパラメータを端末へ２回通知することはシステムのオーバヘッドの増加を引き起こし、スループット性能が劣化する原因となる。
【００３９】
そこで、本実施形態では、送信中断リソースとして、ＳＲＳの送信を中断するＳＲＳ送信中断リソース（ＳＲＳドロップリソース）を設けて、ＳＲＳの送信を行わないリソースを設定する。これにより、ＩＣＩＣを行う際の送信リソースの設定パターンの制約が解消され、ＩＣＩＣの適用効果を高めることができる。
【００４０】
送信中断リソースは、参照信号の送信を中断する周波数帯域を示す送信中断周波数帯域、および、参照信号の送信を中断するサブフレームを示す送信中断サブフレームのうちの少なくともいずれか一方を含む。つまり、ＳＲＳ送信中断リソースは、詳細は後述するが、周波数領域における送信周波数帯域だけでなく、時間領域における送信サブフレーム、送信フレーム、または送信スロットなどにも適用可能である。よって、ＳＲＳ送信中断リソースは、上述の周波数領域ＩＣＩＣだけでなく、時間領域ＩＣＩＣ、周波数領域ＩＣＩＣと時間領域ＩＣＩＣの組合せなど、いずれの場合にも適用できる。
【００４１】
（第１の実施形態）
第１の実施形態では、ＳＲＳ送信中断リソースを用いてＩＣＩＣを行う基地局及び端末の基本構成について説明する。
【００４２】
＜基地局の構成及び機能＞
図５は、第１の実施形態に係るマクロセルの基地局（受信装置）の主要部の構成を示すブロック図である。
【００４３】
図５（Ａ）において、上り回線において受信装置となるマクロセルの基地局は、ＳＲＳ情報決定部１０１、送信部１１０、アンテナ１０４、受信部１０９、チャネル推定部１０７、及びスケジューリング部１０８を有する。
【００４４】
ＳＲＳ情報決定部１０１は、マクロセル内に存在する端末（マクロ端末）に対する、ＳＲＳ送信に関連する制御情報としてのＳＲＳ情報を決定する。例えば、ＳＲＳ送信サブフレーム、ＳＲＳ送信帯域、ＳＲＳ送信帯域幅、ＣＳ（Cyclic Shift）量、送信Ｃｏｍｂ(Transmission Comb)、周波数ホッピングパターン等を含むＳＲＳパラメータが、ＳＲＳ情報として決定される。送信Ｃｏｍｂは、ＩＦＤＭＡ（Interleaved frequency-division multiple-access）における櫛状サブキャリアの位置を示す。
【００４５】
また、ＳＲＳ情報決定部１０１は、ＳＲＳ送信を中断（drop）する（ドロップする）ＳＲＳ送信中断リソース（以下、ＳＲＳドロップリソースという）を、ＳＲＳ情報の一部として決定する。ＳＲＳドロップリソースは、ＳＲＳ送信が中断される周波数帯域を示すＳＲＳ送信中断帯域（以下、ＳＲＳドロップ帯域という）、および、ＳＲＳ送信が中断されるサブフレームを示すＳＲＳ送信中断サブフレーム（以下、ＳＲＳドロップサブフレームという）のうちの、少なくともいずれか一方を含む。
【００４６】
ＳＲＳドロップリソースがＳＲＳドロップ帯域を示す場合、無線リソースにおいてＳＲＳドロップ帯域に該当する周波数帯域でのＳＲＳ送信は停止する。ＳＲＳドロップリソースがＳＲＳドロップサブフレームを示す場合、無線リソースにおいてＳＲＳドロップサブフレームに該当するサブフレームでのＳＲＳ送信は停止する。
【００４７】
ＳＲＳ情報決定部１０１は、決定されたＳＲＳ情報を、送信部１１０、受信部１０９、チャネル推定部１０７に出力する。ＳＲＳドロップリソース情報は、セル固有情報とし、マクロセル内の全マクロ端末で共通の情報であってもよい。あるいは、ＳＲＳドロップリソース情報は端末固有情報としてもよい。
【００４８】
ＳＲＳ情報決定部１０１によって生成されたＳＲＳ情報は、端末固有情報の場合はＲＲＣレイヤの制御情報として、また、セル固有（全端末共通）情報の場合はシステム制御情報として、設定対象となる端末へ送信される。セル固有情報の場合、全端末に共通のＳＲＳドロップリソースを設定することによりＩＣＩＣの効果を得ると共に、ＳＲＳドロップリソース情報をセル内の全端末に一律にシグナリングできるため、システムのオーバヘッドが低減できる。一方、端末固有情報の場合は、周辺セルへ与える干渉の影響を低減するために必要なＳＲＳドロップリソースを端末毎に設定できるため、ＩＣＩＣによるシステム性能改善効果をより向上させることができる。
【００４９】
送信部１１０は、ＳＲＳ情報決定部１０１から受け取ったＳＲＳ情報を、またはＳＲＳ情報が含まれた送信信号を送信する。なお、送信部１１０は、例えば、図５（Ｂ）のように、送信処理部１０２および無線処理部１０３を有してもよい。
【００５０】
送信処理部１０２では、ＳＲＳ情報決定部１０１からのＳＲＳ情報を、所定の下り回線無線リソースにマッピングすることにより、送信信号を生成することができる。なお、マッピングする前に、ＳＲＳ情報を符号化および／または変調してもよい。
【００５１】
無線処理部１０３は、送信信号に対して、必要に応じて無線送信処理を施し、所定の送信電力に電力増幅を行う。そして、無線処理部１０３は、アンテナ１０４を介して送信信号を送信する。無線送信処理としては、送信信号のアップコンバート、ディジタルアナログ（Ｄ／Ａ）変換などが挙げられる。
【００５２】
受信部１０９は、受信したＳＲＳを、または受信した無線信号に含まれたＳＲＳをチャネル推定部１０７へ出力する。なお、受信部１０９は、例えば、図５（Ｃ）のように、無線処理部１０５および受信処理部１０６を有してもよい。
【００５３】
無線処理部１０５において、アンテナ１０４を介して受信した無線信号に対して、必要に応じて無線受信処理を施してもよい。無線受信処理としては、例えば、受信信号のダウンコンバート、アナログディジタル（Ａ／Ｄ）変換などが挙げられる。
【００５４】
受信処理部１０６において、ＳＲＳ情報決定部１０１からのＳＲＳ情報に基づいて、基地局で受信した端末からのＳＲＳを抽出してもよい。
【００５５】
チャネル推定部１０７は、受信部１０９からのＳＲＳに対し、レプリカ信号と相関演算を行うことで基地局におけるチャネル推定値（ＳＩＮＲ測定値）を算出し、スケジューリング部１０８へ出力する。
【００５６】
この際、チャネル推定部１０７は、ＳＲＳ情報決定部１０１からのＳＲＳ情報に基づいて、ＳＲＳ受信のリソースまたは受信信号のリソースがＳＲＳドロップリソースに該当するか否かを判定する。ＳＲＳ受信のリソースまたは受信信号のリソースがＳＲＳドロップリソースに該当して端末からＳＲＳが送信されていないと判定した場合、チャネル推定を行わない。この場合、チャネル推定部１０７は、該当リソースでのチャネル推定は行わなかった旨をスケジューリング部１０８へ出力する。
【００５７】
あるいは、ＳＲＳ受信のリソースまたは受信信号のリソースがＳＲＳドロップリソースに該当して端末からＳＲＳが送信されていないと判定した場合、チャネル推定部１０７は、チャネル推定値を破棄し、該当リソースでのチャネル推定値は無効である旨をスケジューリング部１０８へ出力する。
【００５８】
スケジューリング部１０８は、受信したＳＲＳから求めたチャネル推定値をもとに、セル内の端末のスケジューリングを行う。スケジューリングとしては、データまたはＳＲＳに対するリソースの割り当て、変調方式および/または符号化率の制御等が挙げられる。スケジューリング部１０８は、スケジューリングした情報をＳＲＳ情報決定部１０１へ出力する。
【００５９】
＜端末の構成及び機能＞
図６は、第１の実施形態に係るマクロ端末（送信装置）の主要部の構成を示すブロック図である。
【００６０】
図６（Ａ）において、上り回線において送信装置となるマクロ端末は、アンテナ１５２、受信部１５６、参照信号生成部の一例に相当するＳＲＳ生成部１５４、及び送信部１５５を有する。
【００６１】
受信部１５６は、受信したＳＲＳ情報、または受信した無線信号に含まれたＳＲＳ情報（ＳＲＳドロップリソース情報を含む）をＳＲＳ生成部１５４及び送信部１５５へ出力する。なお、受信部１５６は、例えば、図６（Ｂ）のように、無線処理部１５１および受信処理部１５３を有してもよい。
【００６２】
無線処理部１５１においては、アンテナ１５２を介して受信した無線信号に対して、必要に応じて無線受信処理を施してもよい。無線受信処理としては、受信信号のダウンコンバート、アナログディジタル（Ａ／Ｄ）変換などが挙げられる。
【００６３】
受信処理部１５３においては、受信信号に含まれるＳＲＳ情報を抽出し、ＳＲＳドロップリソース情報が含まれるＳＲＳ情報をＳＲＳ生成部１５４及び送信部１５５へ出力することができる。
【００６４】
ＳＲＳ生成部１５４は、受信部１５６からのＳＲＳ情報に基づいて、所定のＳＲＳ用系列番号（系列番号、ＣＳ番号）を用いてＳＲＳを生成する。そして、ＳＲＳ生成部１５４は、生成したＳＲＳを参照信号送信リソースとなる所定の上り回線無線リソース（ＳＲＳ送信リソース）にマッピングすることにより、送信信号を生成する。
【００６５】
ここで、ＳＲＳ生成部１５４は、受信部１５６からのＳＲＳ情報に基づいて、ＳＲＳ送信リソースがＳＲＳドロップリソースに該当するか否かを判断する。ＳＲＳ送信リソースがＳＲＳドロップリソースに該当しない場合はＳＲＳを生成し、ＳＲＳドロップリソースに該当する場合はＳＲＳを生成しない。
【００６６】
なお、ＳＲＳ生成部１５４は、ＳＲＳ送信リソースがＳＲＳドロップリソースに該当しない場合は生成したＳＲＳをマッピングし、ＳＲＳ送信リソースがＳＲＳドロップリソースに該当する場合は生成したＳＲＳをマッピングしないようにしてもよい。
【００６７】
送信部１５５において、ＳＲＳ生成部１５４からのＳＲＳを含んだ送信信号に対して、必要に応じてＳＲＳ送信サブフレームにおいて無線送信処理を施してもよい。また、送信部１５５において、ＳＲＳを含んだ送信信号に対して、所定の送信電力に電力増幅を行う。無線送信処理としては、送信信号のアップコンバート、ディジタルアナログ（Ｄ／Ａ）変換などが挙げられる。
【００６８】
また、送信部１５５は、受信部１５６からのＳＲＳ情報に基づいて、ＳＲＳ送信リソースがＳＲＳドロップリソースに該当するか否かを判断してもよい。ＳＲＳ送信リソースがＳＲＳドロップリソースに該当しない場合はＳＲＳを送信し、ＳＲＳドロップリソースに該当する場合はＳＲＳを送信しないようにしてもよい。この場合、送信部１５５は、ＳＲＳを送信する場合は該当サブフレームにおいて所定の送信電力で出力し、ＳＲＳを送信しない場合は該当サブフレームにおいて送信電力を０にする。
【００６９】
なお、ＳＲＳ生成部１５４においてＳＲＳドロップリソースに基づいてＳＲＳを生成しない場合またはＳＲＳをマッピングしない場合は、送信部１５５はそのまま送信信号を所定の送信電力にて送信すればよい。
【００７０】
＜基地局及び端末の動作＞
次に、第１の実施形態におけるＳＲＳ送受信に関する基地局及び端末の動作を説明する。図７は、第１の実施形態に係るマクロ端末のＳＲＳ送信動作を示すフローチャートである。図８は、第１の実施形態に係るマクロセルの基地局のＳＲＳ受信動作を示すフローチャートである。
【００７１】
図７において、ＳＲＳ送信処理を開始すると（ステップＳ１１）、ＳＲＳ生成部１５４は、ＳＲＳ情報に基づき、ＳＲＳを送信するリソースがＳＲＳ送信中断リソース（ＳＲＳドロップリソース）に該当するか否かを判断する（ステップＳ１２）。ここで、ＳＲＳ送信中断リソースに該当する場合、ＳＲＳ送信は停止される（ステップＳ１３）。ＳＲＳ送信を停止する場合、ＳＲＳ生成部１５４においてＳＲＳの生成またはＳＲＳのリソースへのマッピングを停止するか、あるいは、送信部１５５においてＳＲＳの送信電力を０とし、ＳＲＳを送信しないようにする。
【００７２】
一方、ステップＳ１２にてＳＲＳを送信するリソースがＳＲＳ送信中断リソースに該当しない場合、ＳＲＳ送信を行う（ステップＳ１４）。この場合、ＳＲＳ生成部１５４はＳＲＳを生成して上り回線無線リソースにマッピングし、送信部１５５はＳＲＳの送信信号を所定の送信電力にて出力することで、マクロセルの基地局へＳＲＳが送信される。
【００７３】
図８において、受信部１０９は、マクロ端末からのＳＲＳの受信処理を行い（ステップＳ２１）、ＳＲＳ情報に基づき、端末（マクロ端末）のＳＲＳがマクロ端末におけるＳＲＳ送信の停止によって未送信であるか否かを判断する（ステップＳ２２）。ここで、ＳＲＳが未送信である場合は、チャネル推定部１０７は、チャネル推定を停止する（ステップＳ２３）。
【００７４】
この場合、チャネル推定部１０７は、ＳＲＳが未送信であると判断された該当リソースでのチャネル推定処理を実行せず、その旨をスケジューリング部１０８へ出力する。
あるいは、チャネル推定部１０７は、ＳＲＳが未送信であると判断された該当リソースでのチャネル推定値を破棄し、そのチャネル推定値は無効である旨をスケジューリング部１０８へ出力する。
【００７５】
一方、ステップＳ２２にて端末のＳＲＳが送信されたと判断された場合、チャネル推定部１０７はチャネル推定を実行する（ステップＳ２４）。そして、チャネル推定部１０７は、受信したＳＲＳを用いて、基地局におけるチャネル推定値（例えば、ＳＩＮＲ測定値）を算出し、スケジューリング部１０８へ出力する。
【００７６】
第１の実施形態では、ＳＲＳ送信中断リソースを用いて、ＳＲＳ送信中断リソースに該当するリソースではＳＲＳの送信を中断することで、ＩＣＩＣを行う。これにより、ＨｅｔＮｅｔ環境において、ＳＲＳ送信中断リソースでは干渉源となるマクロ端末はＳＲＳを送信しないので、ピコセルへの上り回線干渉を低減することができる。例えば、図４（Ａ），（Ｂ）に示されたようにＳＲＳを非連続帯域または連続帯域の一部の周波数帯域のみで送信して周波数領域ＩＣＩＣを行う場合であっても、ＳＲＳ送信中断リソースを用いることで、１つのシグナリングによってＳＲＳパラメータを設定可能である。
【００７７】
つまり、ＳＲＳ送信中断リソースを用いることによって、ＳＲＳ送信用のリソースを制限する際の設定可能なパターンを増やすことができ、ＩＣＩＣの効果を向上できる。言い換えれば、１つのＳＲＳパラメータによって従来と同じ連続帯域によるＳＲＳ送信の設定を行い、さらにＳＲＳ送信中断リソースによってＳＲＳ送信を行わない帯域を通知することにより、様々なＩＣＩＣの設定を行うことができる。したがって、本実施形態により、ＳＲＳ送信中断リソースによってＳＲＳ送信用のリソースを適切に制限可能であり、ＩＣＩＣの適用効果を高めることができる。
【００７８】
（第２の実施形態）
第２の実施形態では、ＳＲＳ送信中断リソースを用いてＩＣＩＣを行う基地局及び端末において、第１の実施形態を基に構成要素を追加した一構成例を説明する。
【００７９】
本実施形態は、ＨｅｔＮｅｔ環境において、マクロセルのセルセンタ付近のマクロ端末は、ピコセルへ与える干渉が小さく、干渉源にならないことに着眼している。図９は、ＨｅｔＮｅｔ環境におけるセルセンタ付近のマクロ端末の上り回線干渉の一例を示す図である。マクロ端末１１がマクロセル１０の基地局１２に近いセルセンタ付近の領域（以下、セルセンタ領域）に位置する場合、マクロ端末１１とマクロセル１０の基地局１２間のパスロスが小さいと推測される。よって、マクロ端末１１の上り回線送信電力は、パスロスに比例して設定されるため、電力が小さくなる。
【００８０】
セルセンタ領域のマクロ端末１１とピコセル２０間の距離が遠い場合、マクロ端末１１とピコセル２０の基地局２２間のパスロスが大きくなる。このため、セルセンタ領域のマクロ端末１１からの上り回線送信信号がピコ端末２１の上り回線送信信号に対して与える干渉は小さくなる。
【００８１】
本実施形態では、端末がＳＲＳの送信を中断すべき端末であるか、すなわち、端末が与える干渉（図９の例ではマクロ端末からピコセルへ与える干渉）が大きいかどうかを判定し、ＳＲＳの送信中断の可否を決定する。具体的には、マクロ端末とマクロセルの基地局との間のパスロスが大きいか否かを判断することで、端末が与える干渉の状態を判定する。
【００８２】
＜基地局の構成及び機能＞
図１０は、第２の実施形態に係るマクロセルの基地局（受信装置）の主要部の構成を示すブロック図である。
【００８３】
図１０（Ａ）において、上り回線において受信装置となるマクロセルの基地局は、ＳＲＳ情報決定部２０１、送信部２１１、アンテナ２０４、受信部２１０、チャネル推定部２０７、スケジューリング部２０８、及び参照信号中断判定部の一例に相当する送信中断判定部２０９を有する。
【００８４】
ＳＲＳ情報決定部２０１は、マクロセル内に存在する端末（マクロ端末）に対する、ＳＲＳ送信に関連する制御情報としてのＳＲＳ情報を決定する。例えば、ＳＲＳ送信サブフレーム、ＳＲＳ送信帯域、ＳＲＳ送信帯域幅、ＣＳ量、送信Ｃｏｍｂ、周波数ホッピングパターン等を含むＳＲＳパラメータが、ＳＲＳ情報として決定される。
【００８５】
また、ＳＲＳ情報決定部２０１は、ＳＲＳ送信を中断する（ドロップする）ＳＲＳドロップリソースを、ＳＲＳ情報の一部として決定する。ＳＲＳドロップリソースは、ＳＲＳ送信が中断される周波数帯域を示すＳＲＳドロップ帯域、および、ＳＲＳ送信が中断されるサブフレームを示すＳＲＳドロップサブフレームのうちの、少なくともいずれか一方を含む。なお、ＳＲＳ送信を中断するマクロ端末は、セルエッジ領域に位置する端末としてもよい。
【００８６】
ＳＲＳ情報決定部２０１は、決定されたＳＲＳドロップリソースに関する情報である送信中断リソース情報（ＳＲＳドロップリソース情報）を含んだＳＲＳ情報を、送信部２１１、受信部２１０、送信中断判定部２０９に出力する。ＳＲＳドロップリソース情報は、セル固有情報とし、マクロセル内の全マクロ端末で共通の情報であってもよい。あるいは、ＳＲＳドロップリソース情報は端末固有情報としてもよい。ＳＲＳドロップリソースの設定方法については後述する。
【００８７】
ＳＲＳ情報決定部２０１によって生成されたＳＲＳ情報は、端末固有情報の場合はＲＲＣレイヤの制御情報として、また、セル固有（全端末共通）情報の場合はシステム制御情報として、端末へ送信される。
【００８８】
送信部２１１は、ＳＲＳ情報決定部２０１から受け取ったＳＲＳ情報を、またはＳＲＳ情報が含まれた送信信号を送信する。なお、送信部２１１は、例えば、図１０（Ｂ）のように、送信処理部２０２および無線処理部２０３を有してもよい。
【００８９】
送信処理部２０２では、ＳＲＳ情報決定部２０１からのＳＲＳ情報を、所定の下り回線無線リソースにマッピングすることにより、送信信号を生成することができる。なお、マッピングする前に、ＳＲＳ情報を符号化および／または変調してもよい。
【００９０】
なお、送信信号がＯＦＤＭ信号である場合には、変調信号を、所定の下り回線無線リソースにマッピングし、逆高速フーリエ変換（ＩＦＦＴ）処理を施して時間波形に変換し、ＣＰ（Cyclic Prefix）を付加することにより、ＯＦＤＭ信号を形成し、無線処理部２０３に出力する。
【００９１】
無線処理部２０３は、送信信号に対して、必要に応じて無線送信処理を施し、所定の送信電力に電力増幅を行う。そして、無線処理部２０３は、アンテナ２０４を介して送信信号を送信する。無線送信処理としては、送信信号のアップコンバート、ディジタルアナログ（Ｄ／Ａ）変換などが挙げられる。
【００９２】
受信部２１０は、受信したＳＲＳを、または受信した無線信号に含まれたＳＲＳをチャネル推定部２０７へ出力する。なお、受信部２１０は、例えば、図１０（Ｃ）のように、無線処理部２０５および受信処理部２０６を有してもよい。
【００９３】
無線処理部２０５においては、アンテナ２０４を介して受信した無線信号に対して、必要に応じて無線受信処理を施してもよい。無線受信処理としては、例えば、受信信号のダウンコンバート、アナログディジタル（Ａ／Ｄ）変換などが挙げられる。
【００９４】
受信処理部２０６においては、ＳＲＳ情報決定部２０１からのＳＲＳ情報に基づいて、基地局で受信した端末からのＳＲＳを抽出してもよい。
【００９５】
送信中断判定部２０９は、マクロ端末（以下、単に端末ともいう）がＳＲＳ送信をドロップしたか否か、すなわちマクロ端末においてＳＲＳドロップが適用されたか否かを判定し、判定結果をチャネル推定部２０７へ出力する。このＳＲＳドロップ適用の判定は、ＳＲＳ情報決定部２０１によって生成されたＳＲＳ情報に基づいて、または、受信部２１０から入力されるマクロ端末からの受信信号の特性情報に基づいて行う。
【００９６】
例えば、ＳＲＳ送信サブフレーム、ＳＲＳ送信帯域、ＳＲＳ送信帯域幅などをＳＲＳ情報として用いて、マクロ端末のＳＲＳ送信帯域幅と閾値との大小比較結果などによって、判定が行われる。受信信号の特性情報として、端末が基地局へ周期的に報告するパスロスレベル、パワーヘッドルーム（Power Head Room、端末の送信電力の余力）、下り回線参照信号の受信レベルなどが用いられる。
【００９７】
本実施形態では、マクロ端末においてＳＲＳドロップを実行するか否かのＳＲＳドロップ実行判定を、端末自身で行う場合を例示する。これらのＳＲＳドロップ適用判定及びＳＲＳドロップ実行判定の判定方法については後述する。
【００９８】
なお、ＳＲＳドロップ実行判定は、基地局側で主体的に行うことも可能である。基地局側でＳＲＳドロップ実行判定を行う場合、送信中断判定部２０９は、送信中断情報として、端末においてＳＲＳの送信をドロップさせるためのＳＲＳドロップ情報を生成し、送信部２１１に出力する。送信部２１１は、ＳＲＳドロップ情報またはＳＲＳドロップ情報が含まれた送信信号を送信する。
【００９９】
なお、例えば、図１０（Ｂ）のように送信部２１１が送信処理部２０２を有する場合、送信処理部２０２は、ＳＲＳドロップ情報に対して、上述したＳＲＳ情報と同様に下り回線無線リソースへのマッピングなどの処理を行い、無線処理部２０３に出力する。
【０１００】
チャネル推定部２０７は、受信部２１０からのＳＲＳに対し、レプリカ信号と相関演算を行うことで基地局におけるチャネル推定値（ＳＩＮＲ測定値）を算出し、スケジューリング部２０８へ出力する。
【０１０１】
この際、チャネル推定部２０７は、送信中断判定部２０９からの判定結果に基づいて、端末がＳＲＳ送信をドロップしたかどうかを判定する。端末がＳＲＳ送信をドロップしたと判定した場合、ＳＲＳドロップリソースのチャネル推定値を破棄する。チャネル推定部２０７は、該当リソースでのチャネル推定値は無効である旨をスケジューリング部２０８へ出力する。
【０１０２】
あるいは、端末がＳＲＳ送信をドロップしたと判定した場合、チャネル推定部２０７は、ＳＲＳドロップリソースでのチャネル推定を行わない。チャネル推定部２０７は、該当リソースでのチャネル推定は行わなかった旨をスケジューリング部２０８へ出力する。
【０１０３】
スケジューリング部２０８は、受信したＳＲＳから求めたチャネル推定値をもとに、セル内の端末のスケジューリングを行う。スケジューリングとしては、データまたはＳＲＳに対するリソースの割り当て、変調方式および／または符号化率の制御等が挙げられる。スケジューリング部２０８は、スケジューリングした情報をＳＲＳ情報決定部２０１へ出力する。
【０１０４】
なお、上記においては、送信中断判定部２０９を有するマクロセルの基地局について説明をした。しかしながら、送信中断判定部２０９を設けずに、図５に示されるマクロセルの基地局においても同様に本実施形態を実現することが出来る。
【０１０５】
この場合、図１０（Ａ）の送信中断判定部２０９によるマクロ端末がＳＲＳ送信をドロップしたか否か、すなわちマクロ端末においてＳＲＳドロップが適用されたか否かの判定を、図５のチャネル推定部１０７が行う。
【０１０６】
具体的には、チャネル推定部１０７におけるＳＲＳドロップ適用判定は、ＳＲＳ情報決定部２０１によって生成されたＳＲＳ情報に基づいて、または、受信部２１０から入力されるマクロ端末からの受信信号の特性情報に基づいて行う。例えば、ＳＲＳ送信サブフレーム、ＳＲＳ送信帯域、ＳＲＳ送信帯域幅などをＳＲＳ情報として用いて、マクロ端末のＳＲＳ送信帯域幅と閾値との大小比較結果などによって、判定が行われる。受信信号の特性情報として、端末が基地局へ周期的に報告するパスロスレベル、パワーヘッドルーム、下り回線参照信号の受信レベルなどが用いられる。これらのＳＲＳドロップ適用判定及びＳＲＳドロップ実行判定の判定方法については後述する。
【０１０７】
チャネル推定部１０７は、端末がＳＲＳ送信をドロップしたと判定した場合、ＳＲＳドロップリソースのチャネル推定値を破棄する。そして、チャネル推定部１０７は、該当リソースでのチャネル推定値は無効である旨をスケジューリング部１０８へ出力する。
【０１０８】
あるいは、端末がＳＲＳ送信をドロップしたと判定した場合、チャネル推定部１０７は、ＳＲＳドロップリソースでのチャネル推定を行わない。チャネル推定部１０７は、該当リソースでのチャネル推定は行わなかった旨をスケジューリング部１０８へ出力する。
【０１０９】
なお、ＳＲＳドロップ実行判定は、基地局側で主体的に行うことも可能である。基地局側でＳＲＳドロップ実行判定を行う場合、チャネル推定部１０７は、送信中断情報として、端末においてＳＲＳの送信をドロップさせるためのＳＲＳドロップ情報を生成し、送信部１１０に出力する。送信部１１０は、ＳＲＳドロップ情報をまたはＳＲＳドロップ情報が含まれた送信信号を送信する。
【０１１０】
＜端末の構成及び機能＞
図１１は、第２の実施形態に係るマクロ端末（送信装置）の主要部の構成を示すブロック図である。
【０１１１】
図１１（Ａ）において、上り回線において送信装置となるマクロ端末は、アンテナ２５２、受信部２５７、ＳＲＳ生成部２５４、送信部２５５、及び参照信号送信制御部の一例に相当するＳＲＳ送信制御部２５６を有する。
【０１１２】
受信部２５７は、受信したＳＲＳ情報、または受信した無線信号に含まれたＳＲＳ情報（ＳＲＳドロップリソース情報を含む）をＳＲＳ生成部２５４及びＳＲＳ送信制御部２５６へ出力する。なお、受信部２５７は、例えば、図１１（Ｂ）のように、無線処理部２５１および受信処理部２５３を有してもよい。
【０１１３】
無線処理部２５１においては、アンテナ２５２を介して受信した無線信号に対して、必要に応じて無線受信処理を施してもよい。無線受信処理としては、受信信号のダウンコンバート、アナログディジタル（Ａ／Ｄ）変換などが挙げられる。
【０１１４】
受信処理部２５３においては、受信信号に含まれるＳＲＳ情報を抽出し、ＳＲＳドロップリソース情報が含まれるＳＲＳ情報をＳＲＳ生成部２５４及びＳＲＳ送信制御部２５６へ出力することができる。
【０１１５】
ＳＲＳ送信制御部２５６は、マクロ端末のＳＲＳ送信リソース（ＳＲＳ送信帯域、ＳＲＳ送信サブフレーム）がＳＲＳドロップリソースと一致するか否か、さらにマクロ端末がＳＲＳドロップを実行するか否かを判定する。ＳＲＳドロップ実行の判定は、基地局の送信中断判定部２０９でのＳＲＳドロップ適用判定と同様の方法で行う。
【０１１６】
すなわち、ＳＲＳ送信制御部２５６は、受信部２５７からのＳＲＳ情報に基づいて、または、受信部２５７から入力された基地局からの受信信号の特性情報に基づいて、ＳＲＳドロップ実行の判定を行う。ＳＲＳドロップ実行判定の判定方法については後述する。
【０１１７】
例えば、ＳＲＳ送信制御部２５６は、ＳＲＳ送信サブフレーム、ＳＲＳ送信帯域、ＳＲＳ送信帯域幅などをＳＲＳ情報として用い、端末のＳＲＳ送信帯域幅と閾値との大小比較結果などによって、ＳＲＳドロップ実行の判定を行う。受信信号の特性情報としては、端末と基地局間のパスロスレベル、パワーヘッドルーム（端末の送信電力の余力）、下り回線参照信号の受信レベルなどを用いる。
【０１１８】
ＳＲＳ送信制御部２５６は、マクロ端末のＳＲＳ送信リソースがＳＲＳドロップリソースと一致し、かつ、マクロ端末から他セルへ与える干渉が大きい（端末と基地局との間のパスロスが大きい状態の端末である）と判定した場合、ＳＲＳドロップの実行（端末でのＳＲＳドロップの適用）を決定する。そして、ＳＲＳ送信制御部２５６は、ＳＲＳ送信を中断する（ドロップする）指示を送信部２５５へ出力する。一方、ＳＲＳ送信制御部２５６は、ＳＲＳドロップを実行しない場合、ＳＲＳを通常通り送信する指示を送信部２５５へ出力する。
【０１１９】
ＳＲＳ生成部２５４は、受信部２５７からのＳＲＳ情報に基づいて、所定のＳＲＳ用系列番号（系列番号、ＣＳ番号）を用いてＳＲＳを生成する。そして、ＳＲＳ生成部２５４は、生成したＳＲＳを所定の上り回線無線リソース（ＳＲＳ送信リソース）にマッピングすることにより、送信信号を生成する。
【０１２０】
なお、送信信号をＯＦＤＭ信号として送信する場合には、ＳＲＳ生成部２５４は、図示しない他のデータ信号などと共にＳＲＳの送信信号にＩＦＦＴ処理を施し、ＣＰを付加して、ＣＰ付加後の信号を送信部２５５へ出力する。
【０１２１】
なお、ＳＲＳ生成部２５４は、ＳＲＳ送信制御部２５６からのＳＲＳドロップの実行可否の指示に基づいて、ＳＲＳをドロップしない場合はＳＲＳを生成し、ドロップする場合はＳＲＳを生成しないようにしてもよい。
【０１２２】
あるいは、ＳＲＳ生成部２５４は、ＳＲＳドロップの実行可否の指示に基づいて、ＳＲＳをドロップしない場合は生成したＳＲＳをＳＲＳ送信リソースにマッピングし、ドロップする場合は生成したＳＲＳをＳＲＳ送信リソースにマッピングしないようにしてもよい。
【０１２３】
送信部２５５において、ＳＲＳ生成部２５４からのＳＲＳを含んだ送信信号に対して、ＳＲＳ送信サブフレームにおいて、必要に応じて無線送信処理を施してもよい。また、送信部２５５において、ＳＲＳを含んだ送信信号に対して、所定の送信電力に電力増幅を行う。無線送信処理としては、送信信号のアップコンバート、ディジタルアナログ（Ｄ／Ａ）変換などが挙げられる。
【０１２４】
また、送信部２５５は、ＳＲＳ送信制御部２５６からのＳＲＳドロップの実行可否の指示に基づいて、ＳＲＳをドロップしない場合はＳＲＳを送信し、ＳＲＳをドロップする場合はＳＲＳを送信しないようにしてもよい。この場合、送信部２５５は、ＳＲＳを送信する場合は該当サブフレームにおいて所定の送信電力で出力し、ＳＲＳを送信しない場合は該当サブフレームにおいて送信電力を０にする。
【０１２５】
なお、ＳＲＳ生成部２５４においてＳＲＳドロップリソースに基づいてＳＲＳを生成しない場合またはマッピングしない場合は、送信部２５５はそのまま送信信号を所定の送信電力にて送信すればよい。
【０１２６】
なお、上記においては、ＳＲＳ送信制御部２５６を有するマクロセルの端末について説明をした。しかしながら、ＳＲＳ送信制御部２５６を設けずに、図６に示されるマクロセルの端末においても同様に本実施形態を実現することが出来る。
【０１２７】
この場合、図１１（Ａ）のＳＲＳ送信制御部２５６による、マクロ端末のＳＲＳ送信リソース（ＳＲＳ送信帯域、ＳＲＳ送信サブフレーム）がＳＲＳドロップリソースと一致するか否か、さらにマクロ端末がＳＲＳドロップを実行するか否かの判定を、図６の送信部１５５が行う。ＳＲＳドロップ実行の判定は、基地局の送信中断判定部２０９（またはチャネル推定部１０７）でのＳＲＳドロップ適用判定と同様の方法にて行う。
【０１２８】
すなわち、送信部１５５は、受信部１５６からのＳＲＳ情報に基づいて、または、受信部１５６から入力された基地局からの受信信号の特性情報に基づいて、ＳＲＳドロップ実行の判定を行う。ＳＲＳドロップ実行判定の判定方法については後述する。
【０１２９】
例えば、送信部１５５は、ＳＲＳ送信サブフレーム、ＳＲＳ送信帯域、ＳＲＳ送信帯域幅などをＳＲＳ情報として用い、端末のＳＲＳ送信帯域幅と閾値との大小比較結果などによって、ＳＲＳドロップ実行の判定を行う。受信信号の特性情報としては、端末と基地局間のパスロスレベル、パワーヘッドルーム（端末の送信電力の余力）、下り回線参照信号の受信レベルなどを用いる。
【０１３０】
送信部１５５は、マクロ端末のＳＲＳ送信リソースがＳＲＳドロップリソースと一致し、かつ、マクロ端末から他セルへ与える干渉が大きい（端末と基地局との間のパスロスが大きい）状態の端末であると判定した場合、ＳＲＳドロップの実行（端末でのＳＲＳドロップの適用）を決定する。そして、送信部１５５は、ＳＲＳ送信を中断する（ドロップする）。一方、送信部１５５は、ＳＲＳドロップを実行しない場合、ＳＲＳを通常通り送信する。送信部１５５は、ＳＲＳドロップの実行可否をＳＲＳ生成部１５４へ出力する。
【０１３１】
ＳＲＳ生成部１５４は、送信部１５５からのＳＲＳドロップの実行可否の指示に基づいて、ＳＲＳ送信をドロップしない場合はＳＲＳを生成し、ＳＲＳ送信をドロップする場合はＳＲＳを生成しないようにしてもよい。
【０１３２】
あるいは、ＳＲＳ生成部１５４は、ＳＲＳドロップの実行可否の指示に基づいて、ＳＲＳ送信をドロップしない場合は生成したＳＲＳをＳＲＳ送信リソースにマッピングし、ＳＲＳ送信をドロップする場合は生成したＳＲＳをＳＲＳ送信リソースにマッピングしないようにしてもよい。
【０１３３】
また、送信部１５５は、ＳＲＳを送信する（ＳＲＳドロップを実行しない）場合は該当サブフレームにおいて所定の送信電力で出力し、ＳＲＳを送信しない（ＳＲＳドロップを実行する）場合は該当サブフレームにおいて送信電力を０にする。
【０１３４】
ＳＲＳ生成部１５４においてＳＲＳドロップリソースに基づいてＳＲＳを生成しない場合またはマッピングを行わない場合は、送信部１５５はそのまま送信信号を所定の送信電力にて送信すればよい。
【０１３５】
＜ＳＲＳドロップの判定方法＞
ここで、基地局の送信中断判定部２０９（またはチャネル推定部１０７）で行うＳＲＳドロップ適用判定、及び、端末のＳＲＳ送信制御部２５６（または送信部１５５）で行うＳＲＳドロップ実行判定に関する、ＳＲＳドロップの判定方法について説明する。
【０１３６】
本実施形態では、端末においてＳＲＳドロップが適用されたか否か、あるいは端末においてＳＲＳドロップを実行するか否かの判定は、ＳＲＳ送信リソースがＳＲＳドロップリソースに該当するか否かの判定に加えて、端末から他のセルへ与える干渉が大きい状態であるかの判定によって行う。
端末が与える干渉が大きい状態としては、端末と基地局との間のパスロスレベルが大きい場合、端末のパワーヘッドルームが小さい場合、下り回線参照信号の受信レベルが小さい場合、あるいは、端末がセルエッジ領域に位置するセルエッジ端末である場合などが相当する。このように、予め設定されたＳＲＳドロップリソースに該当する場合であって、端末が周辺の他セルへ大きな干渉を与える状態の場合に、ＳＲＳ送信を中断することにより、上り回線干渉を低減することができる。
【０１３７】
この際、端末は、ＳＲＳドロップ判定のために、マクロ端末が周辺ピコセルへ大きな干渉を与える端末（例えばセルエッジ端末）か、あるいは大きな干渉を与えない端末（例えばセルセンタ端末）かを、端末と基地局間で予め定めた判定基準を用いて判定する。予め判定基準を決めることで、基地局はマクロ端末がＳＲＳドロップリソースでＳＲＳをドロップしたか否かを正確に判断することができる。
【０１３８】
端末は、ＳＲＳドロップの判定基準として、例えば、基地局と端末間の距離が離れるほど大きくなるパスロスレベル、距離が離れるほど小さくなるパワーヘッドルーム、あるいは下り回線参照信号の受信レベルを用いる。具体的には、端末が測定したパスロスレベル（端末が周期的に基地局に報告する値）が、閾値を超えた（あるいは閾値以上）場合は、周辺ピコセルへ大きな干渉を与える端末と判断する。
【０１３９】
また、端末が測定したパワーヘッドルーム、あるいは下り回線参照信号の受信レベル（端末が周期的に基地局に報告する値）が、閾値を下回る（あるいは閾値以下）場合は、周辺ピコセルへ大きな干渉を与える端末と判断する。セルエッジ領域に位置する端末、パスロスレベルが閾値以上の端末、パワーヘッドルームあるいは下り回線参照信号の受信レベルが閾値以下の端末は、上り回線送信電力が大きいため、ＳＲＳドロップを適用することで、ピコセルに対しての上り回線干渉を抑制することができる。
【０１４０】
また、端末は、ＳＲＳドロップの判定基準として、例えば、端末のＳＲＳ送信帯域幅（予め基地局が端末に通知する値）を用いてもよい。セルエッジ端末は、最大送信電力の制約があるので、ＳＲＳの送信帯域幅を大きく設定できない。言い換えれば、チャネル推定精度の劣化を防止するために必要な送信電力密度を確保するため、セルエッジ端末には小さい値の送信帯域幅が設定される。よって、端末は、端末のＳＲＳ送信帯域幅が閾値を下回る場合は、周辺ピコセルへ大きな干渉を与えるセルエッジ端末であると判断する。
【０１４１】
ここで、上記判定に用いる閾値は、端末へ予め通知されているＳＲＳドロップリソースの帯域幅（以下、ＳＲＳドロップ帯域幅）から導出してもよい。例えば、上述したようにセルエッジ端末のＳＲＳ送信帯域幅は小さいため、「（ＳＲＳ送信帯域幅）≦（ＳＲＳドロップ帯域幅の合計値）」を満たす場合、端末は、セルエッジ端末と判断する。あるいは、「（ＳＲＳ送信帯域幅）≦（１つのＳＲＳドロップ帯域幅）」を満たす場合、端末は、セルエッジ端末と判断してもよい。
【０１４２】
判定基準にＳＲＳ送信帯域幅またはＳＲＳドロップ帯域幅を用いることにより、通知済みのＳＲＳ送信帯域幅またはＳＲＳドロップ帯域幅の情報を利用してＳＲＳドロップを判定できるので、判定のための新たなシグナリングが必要ないというメリットがある。また、既知の端末のＳＲＳ送信帯域幅に基づき、端末はＳＲＳドロップを適用するか否かを判定するので、基地局は端末がＳＲＳをドロップするか否かを正確に判断できる。また、判定用の閾値を通知済みのＳＲＳドロップ帯域から導出することで、判定のためのシグナリングを低減することができる。
【０１４３】
＜ＳＲＳドロップの適用例＞
ここで、第２の実施形態におけるＳＲＳドロップの適用例として、ＳＲＳドロップリソースを用いて周波数領域ＩＣＩＣを行う場合の動作例を説明する。
【０１４４】
図１２は、第２の実施形態における周波数領域のＳＲＳドロップの適用例を示す図である。図１２の例は、図１に示されたＳＲＳの周波数ホッピングにおいて、予め設定されたＳＲＳドロップ帯域（ＳＲＳ送信中断帯域ともいう、ＳＲＳ  Ｄｒｏｐ  ＢＷ）５１を用いた場合である。図１２の例では、ｂｈｏｐ＝０、ｂ＝３として周波数ホッピングを行いつつ、２つの非連続帯域のＳＲＳドロップ帯域５１が設定され、ＳＲＳドロップ帯域５１に該当しない非連続帯域においてＳＲＳが送信されている。
【０１４５】
端末は、ＳＲＳ送信帯域がＳＲＳドロップ帯域５１に該当する場合、端末が与える干渉が大きいか否かを判定し、与える干渉が大きい場合、ＳＲＳ送信を中断する。ここでは一例として、セルセンタ端末とセルエッジ端末とでＳＲＳ送信帯域幅が同じ帯域幅に設定されている場合に、端末がセルエッジ端末かセルセンタ端末かによってＳＲＳドロップの実行の可否を判断する。
【０１４６】
図１２に示されるように、セルセンタ端末（白抜きの狭帯域でのＳＲＳ送信）の場合は、端末は、ＳＲＳドロップ帯域５１であってもＳＲＳ送信を中断せず、予め設定されたＳＲＳパラメータによる通常のホッピングパターンにてＳＲＳ送信を行う。一方、セルエッジ端末（ドットの狭帯域でのＳＲＳ送信）の場合は、端末は、図中「×」で示されるように、ＳＲＳドロップ帯域５１ではＳＲＳ送信を中断し、ＳＲＳドロップ帯域５１を除く周波数帯域のみでＳＲＳ送信を行う。
【０１４７】
図１３は、ＨｅｔＮｅｔ環境におけるＳＲＳドロップの適用例を示す図であり、セルエッジ端末にてＳＲＳドロップを適用した場合を示している。マクロ端末がセルエッジ端末１１Ａである場合、ＳＲＳドロップリソースにおいてＳＲＳドロップを適用してＳＲＳ送信リソースを制限することによって、ピコセル２０への上り回線干渉を低減することができる。また、マクロ端末がセルセンタ端末１１Ｂである場合、ピコセル２０への上り回線干渉は小さいため、ＳＲＳドロップリソースにおいてもＳＲＳドロップを適用しないようにし、マクロセル１０におけるスループットを確保することができる。
【０１４８】
このように、予め設定されたＳＲＳドロップ帯域において、マクロ端末がＳＲＳをドロップすることにより、ピコセルへの干渉を低減することができる。また、予め設定されたＳＲＳドロップ帯域において、さらにＳＲＳドロップを適用するか否かを端末ごとに判定し、端末が与える干渉が大きい状態でありＳＲＳドロップを適用すると判定したマクロ端末は、ＳＲＳをドロップする。一方、端末が与える干渉が小さい状態でありＳＲＳドロップを適用しないと判定したマクロ端末は、ＳＲＳを送信する。これにより、ピコセルへの干渉を低減しつつ、マクロセルでのスループット低下を防止することができる。
【０１４９】
＜ＳＲＳドロップ帯域の通知方法＞
周波数領域ＩＣＩＣを行う場合に、基地局のＳＲＳ情報決定部２０１にて行うＳＲＳドロップ帯域の通知方法について説明する。図１４は、ＳＲＳドロップ帯域の通知方法の一例を示す図である。
【０１５０】
ＳＲＳドロップ帯域は、セル内の基地局によって設定された、端末が利用可能なＳＲＳ送信帯域の位置を示すビットシーケンスで表すことができる。例えば、ＳＲＳ送信帯域（４つのＳＲＳ  ＢＷ：ｂ＝０〜３）のそれぞれに対応して、各ＳＲＳ送信帯域をＳＲＳドロップ帯域とするか否かを０，１のビットで示すことにより、ＳＲＳドロップ帯域が通知可能である。図１４の例では、ＳＲＳ  ＢＷ：ｂ＝２としたＳＲＳ送信帯域の割り当て単位で、ＳＲＳドロップ帯域はビットマップ形式で通知される。つまり、ＳＲＳドロップ帯域は、４つのＳＲＳ送信帯域のそれぞれについて、ＳＲＳドロップ帯域とするか否かを、例えば０，１，０，１のようにビットシーケンスにより通知される。
【０１５１】
従来、非連続帯域にＳＲＳを周波数ホッピングさせるためには、ＳＲＳパラメータを変更するため、１送信当たり２４ビットのシグナリングが必要であった。これに対し、図１４の通知方法の場合、ＳＲＳドロップ帯域を示す情報はＳＲＳパラメータに４ビットを追加するだけとなり、シグナリング量を低減することができる。さらに、ＳＲＳドロップ帯域を示す情報をセル固有（全端末共通）情報とすることで、さらにシグナリング量を低減することができ、スループット低下を防止することが出来る。
【０１５２】
さらに、ＳＲＳ送信帯域幅は、各セルのシステム帯域幅、接続端末数等の環境によって、所定の固定幅または可変幅の適切な値が設定される。システム帯域幅が大きい場合には大きなＳＲＳ送信帯域幅を設定し、システム帯域幅が小さい場合にはより小さいＳＲＳ送信帯域幅を設定することができる。したがって、ＳＲＳ送信帯域幅を用いたセルに適した設定、すなわちＳＲＳ送信帯域幅によって異なるビットシーケンスの長さで、セルごとにＳＲＳドロップ帯域幅の設定ができる。ここで、システム帯域幅が広帯域の場合はＳＲＳ送信帯域幅が大きくなるので、ビットシーケンスの長さが抑えられ、ＳＲＳドロップ帯域の通知用のシグナリング量をより少なくすることができる。
【０１５３】
このように、ＳＲＳドロップ帯域をビットシーケンスにて通知することで、送信中断リソースの通知を少ないシグナリング量で行え、オーバヘッドの増加を抑制することができる。また、各セルに適したＳＲＳドロップ帯域を容易に設定することができる。
【０１５４】
＜基地局及び端末の動作＞
次に、第２の実施形態におけるＳＲＳ送受信に関する基地局及び端末の動作を説明する。図１５は、第２の実施形態に係るマクロ端末のＳＲＳ送信動作を示すフローチャートである。図１６は、第２の実施形態に係るマクロセルの基地局のＳＲＳ受信動作を示すフローチャートである。
【０１５５】
図１１の場合、図１５においてＳＲＳ送信処理を開始すると（ステップＳ３１）、ＳＲＳ送信制御部２５６は、ＳＲＳ情報に基づき、ＳＲＳを送信するリソースがＳＲＳ送信中断リソース（ＳＲＳドロップリソース）に該当するか否かを判断する（ステップＳ３２）。
【０１５６】
ここで、ＳＲＳ送信中断リソースに該当する場合、ＳＲＳ送信制御部２５６は、マクロ端末から他セルへ与える干渉が大きいか否かを判断する（ステップＳ３３）。上述したように、端末と基地局間のパスロスレベルが大きい場合など、与える干渉が大きいと判断した場合、ＳＲＳ送信制御部２５６は送信部２５５へＳＲＳ送信中断の指示を行い、ＳＲＳ送信が停止される（ステップＳ３４）。ＳＲＳ送信を停止する場合、送信部２５５はＳＲＳの送信電力を０とし、ＳＲＳを送信しないようにする。
【０１５７】
なお、ＳＲＳ送信制御部２５６からの指示に基づき、ＳＲＳ生成部２５４はＳＲＳの生成またはＳＲＳのリソースへのマッピングを停止することで、ＳＲＳ送信を停止してもよい。
【０１５８】
一方、ステップＳ３２にてＳＲＳを送信するリソースがＳＲＳドロップリソースに該当しない場合、及び、ステップＳ３３にてマクロ端末から他セルへ与える干渉が大きくない場合は、ＳＲＳ送信が行われる（ステップＳ３５）。この場合、ＳＲＳ送信制御部２５６からの指示に基づき、ＳＲＳ生成部２５４はＳＲＳを生成して上り回線無線リソースにマッピングし、送信部２５５はＳＲＳの送信信号を所定の送信電力にて出力することで、マクロセルの基地局へＳＲＳが送信される。
【０１５９】
図６の場合、図１５においてＳＲＳ送信処理を開始すると（ステップＳ３１）、送信部１５５は、ＳＲＳ情報に基づき、ＳＲＳを送信するリソースがＳＲＳ送信中断リソース（ＳＲＳドロップリソース）に該当するか否かを判断する（ステップＳ３２）。
【０１６０】
ここで、ＳＲＳ送信中断リソースに該当する場合、送信部１５５は、マクロ端末から他セルへ与える干渉が大きいか否かを判断する（ステップＳ３３）。上述したように、端末と基地局間のパスロスレベルが大きい場合など、与える干渉が大きいと判断した場合、ＳＲＳ送信が停止される（ステップＳ３４）。ＳＲＳ送信を停止する場合、送信部１５５はＳＲＳの送信電力を０とし、ＳＲＳを送信しないようにする。
【０１６１】
なお、送信部１５５からの指示に基づき、ＳＲＳ生成部１５４はＳＲＳの生成またはＳＲＳのリソースへのマッピングを停止することで、ＳＲＳ送信を停止してもよい。
【０１６２】
一方、ステップＳ３２にてＳＲＳを送信するリソースがＳＲＳドロップリソースに該当しない場合、及び、ステップＳ３３にてマクロ端末から他セルへ与える干渉が大きくない場合は、ＳＲＳ送信が行われる（ステップＳ３５）。この場合、送信部１５５からの指示に基づき、ＳＲＳ生成部１５４はＳＲＳを生成して上り回線無線リソースにマッピングし、送信部１５５はＳＲＳの送信信号を所定の送信電力にて出力することで、マクロセルの基地局へＳＲＳが送信される。
【０１６３】
図１０の場合、図１６において、受信部２１０は、マクロ端末からのＳＲＳの受信処理を行う（ステップＳ４１）。そして、送信中断判定部２０９は、ＳＲＳ情報または受信信号の特性情報に基づき、端末（マクロ端末）においてＳＲＳ送信中断が適用されてＳＲＳが未送信であるか否かを判断する（ステップＳ４２）。
【０１６４】
ここで、端末においてＳＲＳ送信中断が適用されていると判断された場合、送信中断判定部２０９はチャネル推定部２０７へチャネル推定停止の指示を行い、チャネル推定部２０７は、チャネル推定を停止する（ステップＳ４３）。そして、チャネル推定部２０７は、ＳＲＳ送信中断が適用されていると判断された該当リソースでのチャネル推定処理を実行せず、その旨をスケジューリング部２０８へ出力する。あるいは、チャネル推定部２０７は、ＳＲＳ送信中断が適用されていると判断された該当リソースでのチャネル推定値を破棄し、そのチャネル推定値は無効である旨をスケジューリング部２０８へ出力する。
【０１６５】
一方、ステップＳ４２にて端末においてＳＲＳ送信中断が適用されず、ＳＲＳが送信されたと判断された場合、チャネル推定部２０７はチャネル推定を実行する（ステップＳ４４）。そして、チャネル推定部２０７は、受信したＳＲＳを用いて、基地局におけるチャネル推定値（例えば、ＳＩＮＲ測定値）を算出し、スケジューリング部２０８へ出力する。
【０１６６】
図５の場合、図１６において、受信部１０９は、マクロ端末からのＳＲＳの受信処理を行う（ステップＳ４１）。そして、チャネル推定部１０７は、ＳＲＳ情報または受信信号の特性情報に基づき、端末（マクロ端末）においてＳＲＳ送信中断が適用されてＳＲＳが未送信であるか否かを判断する（ステップＳ４２）。
【０１６７】
ここで、端末においてＳＲＳ送信中断が適用されていると判断された場合、チャネル推定部１０７は、チャネル推定を停止する（ステップＳ４３）。そして、チャネル推定部１０７は、ＳＲＳ送信中断が適用されていると判断された該当リソースでのチャネル推定処理を実行せず、その旨をスケジューリング部１０８へ出力する。あるいは、チャネル推定部１０７は、ＳＲＳ送信中断が適用されていると判断された該当リソースでのチャネル推定値を破棄し、そのチャネル推定値は無効である旨をスケジューリング部１０８へ出力する。
【０１６８】
一方、ステップＳ４２にて端末においてＳＲＳ送信中断が適用されず、ＳＲＳが送信されたと判断された場合、チャネル推定部１０７はチャネル推定を実行する（ステップＳ４４）。そして、チャネル推定部１０７は、受信したＳＲＳを用いて、基地局におけるチャネル推定値（例えば、ＳＩＮＲ測定値）を算出し、スケジューリング部１０８へ出力する。
【０１６９】
第２の実施形態では、ＳＲＳドロップリソースにおいて、セルエッジ領域に位置する等の判定結果により干渉源となるマクロ端末はＳＲＳを送信しないので、周辺ピコセルへの上り回線干渉が低減できる。また、ＳＲＳドロップ帯域を非連続帯域または連続帯域に設定することによって、ＳＲＳ送信帯域を非連続帯域に設定可能となり、少ないシグナリングにより非連続帯域でＳＲＳを周波数ホッピングさせることができる。
【０１７０】
ＳＲＳドロップリソース情報は、さらにセル固有（全端末共通）情報とすることで、全端末にＳＲＳドロップリソース情報を送信する（端末固有情報とする）場合に比べて、さらに下り回線のシグナリング量を少なくすることができる。あるいは、ＳＲＳドロップリソース情報は、端末固有情報とすることで、各端末に最適なＳＲＳドロップリソースを設定できるので、ＩＣＩＣによるシステム性能改善効果をより向上させることができる。
【０１７１】
また、セルセンタ領域に位置する等の判定結果により、周辺ピコセルへの干渉源とはならないマクロ端末は、ＳＲＳドロップリソースにおいても通常通りにＳＲＳを送信するため、マクロセルのスループットの劣化を防止することができる。
【０１７２】
さらに、図１２、図１４に示されるように、セルセンタ端末とセルエッジ端末に対し、同じ送信サブフレームを適用してもそれらのＳＲＳ送信帯域は衝突しないようにスケジューリングすることができる。よって、ＳＲＳ送信時に送信サブフレームを分ける必要がないため、ＳＲＳ送信リソースの消費を抑えることができる。
【０１７３】
（第３の実施形態）
第３の実施形態は、第１の実施形態または第２の実施形態の変形例であり、ＳＲＳ送信中断リソースを用いて周波数領域ＩＣＩＣを行う場合の端末の動作が異なる。
【０１７４】
周波数領域ＩＣＩＣを行う場合、第１の実施形態では、あるＳＲＳ送信サブフレームにおけるＳＲＳ送信帯域がＳＲＳドロップ帯域と一致した場合に、あるいは、第２の実施形態では、あるＳＲＳ送信サブフレームにおけるＳＲＳ送信帯域がＳＲＳドロップ帯域と一致しかつ端末が与える干渉が大きい場合に、端末はＳＲＳを送信しない。一方、第３の実施形態では、あるＳＲＳ送信サブフレームにおけるＳＲＳ送信帯域がＳＲＳドロップ帯域と一致した場合、ＳＲＳドロップ動作として、ＳＲＳ送信帯域を変更してＳＲＳを送信する。
【０１７５】
この場合、次のＳＲＳ送信サブフレーム以降にマッピングされる帯域であって、かつＳＲＳドロップ帯域と一致しない帯域をＳＲＳ送信帯域とし、ＳＲＳ送信帯域がＳＲＳドロップ帯域と一致したと判定したときの当該ＳＲＳ送信サブフレームにおいてＳＲＳを送信する。すなわち、所定のホッピングパターンにて周波数ホッピングを行いながら、所定のサブフレームにおいて順次ＳＲＳを送信する場合、以降のサブフレームにて周波数ホッピングするＳＲＳ送信帯域であって、ＳＲＳドロップ帯域と一致しない次の周波数ホッピング先のＳＲＳ送信帯域において、ＳＲＳを送信する。
【０１７６】
＜基地局の構成及び機能＞
マクロセルの基地局（受信装置）の構成は、図５に示された第１の実施形態あるいは図１０に示された第２の実施形態と同様である。第３の実施形態は、チャネル推定部の動作が異なる。
【０１７７】
図５において、チャネル推定部１０７は、端末がＳＲＳ送信をドロップしたと判定した場合、ＳＲＳドロップリソースのチャネル推定値を破棄する。この場合、チャネル推定部１０７は、ＳＲＳ情報に基づき、次のＳＲＳ送信サブフレーム以降にマッピング予定の、ＳＲＳドロップ帯域と一致しない帯域がＳＲＳ送信帯域であるとみなし、この周波数帯域のチャネル推定値を算出する。そして、チャネル推定部１０７は算出したチャネル推定値をスケジューリング部１０８へ出力する。
【０１７８】
あるいは、図１０において、チャネル推定部２０７は、送信中断判定部２０９からの判定結果に基づいて、端末がＳＲＳ送信をドロップしたと判定された場合、ＳＲＳドロップリソースのチャネル推定値を破棄する。この場合、チャネル推定部２０７は、ＳＲＳ情報に基づき、次のＳＲＳ送信サブフレーム以降にマッピング予定の、ＳＲＳドロップ帯域と一致しない帯域がＳＲＳ送信帯域であるとみなし、この周波数帯域のチャネル推定値を算出する。そして、チャネル推定部２０７は算出したチャネル推定値をスケジューリング部２０８へ出力する。
【０１７９】
＜端末の構成及び機能＞
図１７は、第３の実施形態に係るマクロ端末（送信装置）の主要部の構成を示すブロック図である。図１７（Ａ）において、第３の実施形態のマクロ端末は、図１１に示された第２の実施形態と比べて、ＳＲＳ送信制御部３５６、ＳＲＳ生成部３５４、及び送信部３５５の動作が異なる。第２の実施形態と同様の構成要素には同一符号を付して説明を省略する。
【０１８０】
ＳＲＳ送信制御部３５６は、マクロ端末のＳＲＳ送信リソース（ＳＲＳ送信帯域、ＳＲＳ送信サブフレーム）がＳＲＳドロップリソースと一致するか否か、あるいは、さらにマクロ端末がＳＲＳドロップを適用するか否かを判定してＳＲＳドロップの実行可否を決定する。なお、ＳＲＳドロップ実行判定の判定方法は、第１の実施形態または第２の実施形態と同様である。
【０１８１】
ＳＲＳ送信制御部３５６は、マクロ端末のＳＲＳ送信リソースがＳＲＳドロップリソースと一致すると判定した場合（第１の実施形態における判定に相当）、あるいは、マクロ端末のＳＲＳ送信リソースがＳＲＳドロップリソースと一致しかつマクロ端末から他セルへ与える干渉が大きい（端末と基地局との間のパスロスが大きい）状態の端末であると判定した場合（第２の実施形態における判定に相当）、ＳＲＳドロップの実行（端末でのＳＲＳドロップの適用）を決定し、ＳＲＳ送信帯域を変更する。
【０１８２】
この際、ＳＲＳ送信制御部３５６は、ＳＲＳ生成部３５４に指示を送り、ＳＲＳドロップ帯域ではない帯域にてＳＲＳが送信される。例えば、ＳＲＳドロップ帯域と一致しない次の周波数ホッピング先のＳＲＳ送信帯域において、ＳＲＳが送信される。
【０１８３】
一方、ＳＲＳ送信制御部３５６は、マクロ端末のＳＲＳ送信リソースがＳＲＳドロップリソースと一致しないと判定した場合（第１の実施形態における判定に相当）、あるいは、マクロ端末のＳＲＳ送信リソースがＳＲＳドロップリソースと一致しないまたはマクロ端末から他セルへ与える干渉が大きい（端末と基地局との間のパスロスが大きい）状態の端末ではないと判定した場合（第２の実施形態における判定に相当）ＳＲＳドロップを実行しないと決定し、ＳＲＳを通常通りのＳＲＳ送信帯域で送信するように、ＳＲＳ生成部３５４へ指示する。
【０１８４】
ＳＲＳ生成部３５４は、受信部２５７からのＳＲＳ情報と、ＳＲＳ送信制御部３５６からの指示とに基づいて、所定のＳＲＳ用系列番号（系列番号、ＣＳ番号）を用いてＳＲＳを生成する。そして、ＳＲＳ生成部３５４は、生成したＳＲＳを所定の上り回線無線リソース（ＳＲＳ送信リソース）にマッピングすることにより、送信信号を生成する。
【０１８５】
この際、ＳＲＳ生成部３５４は、ＳＲＳドロップを実行する場合、ＳＲＳドロップ帯域でない次の周波数ホッピング先のＳＲＳ送信帯域にＳＲＳをマッピングして、送信信号を生成する。なお、送信信号をＯＦＤＭ信号として送信する場合には、ＳＲＳ生成部３５４は、図示しない他のデータ信号などと共にＳＲＳの送信信号にＩＦＦＴ処理を施し、ＣＰを付加して、ＣＰ付加後の信号を送信部３５５へ出力する。
【０１８６】
送信部３５５は、ＳＲＳ生成部３５４からのＳＲＳを含んだ送信信号に対して、必要に応じてＳＲＳ送信サブフレームにおいて無線送信処理を施してもよい。また、送信部３５５は、ＳＲＳを含んだ送信信号に対して、所定の送信電力に電力増幅を行ってアンテナ２５２を介して送信する。
【０１８７】
なお、本実施形態のマクロ端末は、第２の実施形態と同様に、図６に示された第１の実施の形態のマクロ端末によって実現することも可能である。以下に、この場合について説明する。
【０１８８】
送信部１５５は、マクロ端末のＳＲＳ送信リソース（ＳＲＳ送信帯域、ＳＲＳ送信サブフレーム）がＳＲＳドロップリソースと一致するか否か、あるいは、さらにマクロ端末がＳＲＳドロップを適用するか否かを判定してＳＲＳドロップの実行可否を決定する。なお、ＳＲＳドロップ実行判定の判定方法は、第１の実施形態または第２の実施形態と同様である。
【０１８９】
送信部１５５は、マクロ端末のＳＲＳ送信リソースがＳＲＳドロップリソースと一致すると判定した場合（第１の実施形態における判定に相当）、あるいは、マクロ端末のＳＲＳ送信リソースがＳＲＳドロップリソースと一致しかつマクロ端末から他セルへ与える干渉が大きい（端末と基地局との間のパスロスが大きい）状態の端末であると判定した場合（第２の実施形態における判定に相当）、ＳＲＳドロップの実行（端末でのＳＲＳドロップの適用）を決定し、ＳＲＳ送信帯域を変更する。この際、送信部１５５は、ＳＲＳ生成部１５４に指示を送り、ＳＲＳドロップ帯域ではない帯域にてＳＲＳが送信される。例えば、ＳＲＳドロップ帯域と一致しない次の周波数ホッピング先のＳＲＳ送信帯域において、ＳＲＳが送信される。
【０１９０】
一方、送信部１５５は、マクロ端末のＳＲＳ送信リソースがＳＲＳドロップリソースと一致しないと判定した場合（第１の実施形態における判定に相当）、あるいは、マクロ端末のＳＲＳ送信リソースがＳＲＳドロップリソースと一致しないまたはマクロ端末から他セルへ与える干渉が大きい（端末と基地局との間のパスロスが大きい）状態の端末ではないと判定した場合（第２の実施形態における判定に相当）ＳＲＳドロップを実行しないと決定し、ＳＲＳを通常通りのＳＲＳ送信帯域で送信するように、ＳＲＳ生成部１５４へ指示する。
【０１９１】
ＳＲＳ生成部１５４は、受信部１５６からのＳＲＳ情報と、送信部１５５からの指示とに基づいて、所定のＳＲＳ用系列番号（系列番号、ＣＳ番号）を用いてＳＲＳを生成する。そして、ＳＲＳ生成部１５４は、生成したＳＲＳを所定の上り回線無線リソース（ＳＲＳ送信リソース）にマッピングすることにより、送信信号を生成する。
【０１９２】
この際、ＳＲＳ生成部１５４は、ＳＲＳドロップを実行する場合、ＳＲＳドロップ帯域でない次の周波数ホッピング先のＳＲＳ送信帯域にＳＲＳをマッピングして、送信信号を生成する。なお、送信信号をＯＦＤＭ信号として送信する場合には、ＳＲＳ生成部１５４は、図示しない他のデータ信号などと共にＳＲＳの送信信号にＩＦＦＴ処理を施し、ＣＰを付加して、ＣＰ付加後の信号を送信部１５５へ出力する。
【０１９３】
送信部１５５は、ＳＲＳ生成部１５４からのＳＲＳを含んだ送信信号に対して、必要に応じてＳＲＳ送信サブフレームにおいて無線送信処理を施してもよい。また、送信部１５５は、ＳＲＳを含んだ送信信号に対して、所定の送信電力に電力増幅を行ってアンテナ１５２を介して送信する。
【０１９４】
＜ＳＲＳドロップの適用例＞
ここで、第３の実施形態におけるＳＲＳドロップの適用例として、端末におけるＳＲＳドロップ帯域に対する動作例を説明する。
【０１９５】
図１８は、第３の実施形態における周波数領域のＳＲＳドロップの適用例を示す図である。図１８の例は、図１に示されたＳＲＳの周波数ホッピングにおいて、予め設定されたＳＲＳドロップ帯域（ＳＲＳ送信中断帯域ともいう、ＳＲＳ  Ｄｒｏｐ  ＢＷ）５１を用いた場合である。図１８の例では、ｂｈｏｐ＝０、ｂ＝３として周波数ホッピングを行いつつ、２つの非連続帯域のＳＲＳドロップ帯域５１が設定され、ＳＲＳドロップ帯域５１では次のＳＲＳドロップ帯域以外の周波数ホッピング先の帯域にＳＲＳ送信帯域を変更してＳＲＳが送信されている。
【０１９６】
これにより、ＳＲＳドロップ帯域５１に該当しない非連続帯域においてＳＲＳが送信可能である。図１８（Ａ）はＳＲＳドロップを適用しない通常の周波数ホッピングパターンを示し、図１８（Ｂ）はＳＲＳドロップを適用した場合の周波数ホッピングパターンを示している。
【０１９７】
端末は、ＳＲＳ送信帯域がＳＲＳドロップ帯域５１に該当する場合（第１の実施形態に相当）、あるいは、ＳＲＳドロップ帯域５１に該当しかつ端末が与える干渉が大きい場合（第２の実施形態に相当）、ＳＲＳドロップ帯域５１でのＳＲＳ送信を中断する。ここでは一例として、端末がセルエッジ端末かセルセンタ端末かによってＳＲＳドロップの実行の可否を判断する。
【０１９８】
図１８（Ｂ）に示されるように、セルエッジ端末の場合、端末は、ＳＲＳドロップ帯域５１ではＳＲＳ送信帯域を変更し、次の周波数ホッピング先の帯域であってＳＲＳドロップ帯域５１ではないＳＲＳ送信帯域でＳＲＳを送信する。すなわち、端末は、図１８（Ａ）において「×」で示される周波数ホッピングの帯域ではＳＲＳを送信しない代わりに、ＳＲＳドロップ帯域５１ではない次の周波数ホッピング先の帯域においてＳＲＳを送信する。
【０１９９】
このように、端末は、マクロ端末が予め設定されたＳＲＳドロップ帯域においてはＳＲＳをドロップし、ＳＲＳドロップ帯域とは異なる他のＳＲＳ送信帯域にてＳＲＳを送信することにより、ピコセルへの干渉を低減することができる。また、ＳＲＳドロップを適用した場合にも他のＳＲＳ送信帯域にてＳＲＳを送信するため、ＳＲＳを送信しない時間帯（サブフレーム）がなくなることによってＳＲＳ送信周期が変わらない。その結果、基地局においてＳＲＳが送信されないことによるチャネル推定の中断が発生せず、より精度が高いチャネル推定が可能になるため、リンクアダプテーション（リソース割り当て、符号化率制御など）がより適切に行われる。
【０２００】
＜基地局及び端末の動作＞
次に、第３の実施形態におけるＳＲＳ送受信に関する基地局及び端末の動作を説明する。図１９は、第３の実施形態に係るマクロ端末のＳＲＳ送信動作を示すフローチャートである。図２０は、第３の実施形態に係るマクロセルの基地局のＳＲＳ受信動作を示すフローチャートである。
【０２０１】
図１７の場合、図１９においてＳＲＳ送信処理を開始すると（ステップＳ５１）、ＳＲＳ送信制御部３５６は、ＳＲＳ情報に基づき、ＳＲＳを送信するリソースがＳＲＳ送信中断リソース（ＳＲＳドロップリソース）に該当するか否かを判断する（ステップＳ５２）。ここで、ＳＲＳ送信中断リソースに該当する場合、ＳＲＳ送信制御部３５６は、マクロ端末から他セルへ与える干渉が大きいか否かを判断する（ステップＳ５３）。
【０２０２】
第２の実施形態において説明したように、端末と基地局間のパスロスレベルが大きい場合など、与える干渉が大きいと判断した場合、ＳＲＳ送信制御部３５６はＳＲＳ生成部３５４へＳＲＳ送信中断の指示を行い、ＳＲＳ送信中断リソース（ＳＲＳドロップ帯域）ではない帯域にてＳＲＳが送信される（ステップＳ５４）。
【０２０３】
なお、第１の実施形態において説明したように、ステップＳ５２においてＳＲＳ送信中断リソースに該当すると判断された場合、ステップＳ５３の判断をスキップし、ＳＲＳ送信制御部３５６はＳＲＳ生成部３５４へＳＲＳ送信中断の指示を行い、ＳＲＳ送信中断リソースではない帯域にてＳＲＳが送信されるステップＳ５４の処理に移行してもよい。
【０２０４】
ここでは、ＳＲＳ送信中断リソースと一致しない次の周波数ホッピング先のＳＲＳ送信帯域において、ＳＲＳが送信される。この場合、ＳＲＳ生成部３５４はＳＲＳを生成して、ＳＲＳ送信中断リソース以外の帯域の上り回線無線リソースに生成されたＳＲＳをマッピングし、送信部３５５はＳＲＳの送信信号を所定の送信電力にてマクロセルの基地局へ送信する。
【０２０５】
一方、ステップＳ５２にてＳＲＳを送信するリソースがＳＲＳ送信中断リソースに該当しない場合、または、ステップＳ５３にてマクロ端末から他セルへ与える干渉が大きくない場合は、そのままの（予め設定された）ＳＲＳ送信帯域にてＳＲＳ送信が行われる（ステップＳ５５）。この場合、ＳＲＳ送信制御部３５６からの指示に基づき、ＳＲＳ生成部３５４はＳＲＳを生成して、該当ＳＲＳ送信帯域の上り回線無線リソースに生成されたＳＲＳをマッピングし、送信部３５５はＳＲＳの送信信号を所定の送信電力にてマクロセルの基地局へ送信する。
【０２０６】
図６の場合、図１９においてＳＲＳ送信処理を開始すると（ステップＳ５１）、送信部１５５は、ＳＲＳ情報に基づき、ＳＲＳを送信するリソースがＳＲＳ送信中断リソース（ＳＲＳドロップリソース）に該当するか否かを判断する（ステップＳ５２）。ここで、ＳＲＳ送信中断リソースに該当する場合、送信部１５５は、マクロ端末から他セルへ与える干渉が大きいか否かを判断する（ステップＳ５３）。
【０２０７】
第２の実施形態において説明したように、端末と基地局間のパスロスレベルが大きい場合など、与える干渉が大きいと判断した場合、送信部１５５はＳＲＳ生成部１５４へＳＲＳ送信中断の指示を行い、ＳＲＳ送信中断リソース（ＳＲＳドロップ帯域）ではない帯域にてＳＲＳが送信される（ステップＳ５４）。
【０２０８】
なお、第１の実施形態において説明したように、ステップＳ５２においてＳＲＳ送信中断リソースに該当すると判断された場合、ステップＳ５３の判断をスキップし、送信部１５５はＳＲＳ生成部１５４へＳＲＳ送信中断の指示を行い、ＳＲＳ送信中断リソースではない帯域にてＳＲＳが送信されるステップＳ５４の処理に移行してもよい。
【０２０９】
ここでは、ＳＲＳ送信中断リソースと一致しない次の周波数ホッピング先のＳＲＳ送信帯域において、ＳＲＳが送信される。この場合、ＳＲＳ生成部１５４はＳＲＳを生成して、ＳＲＳ送信中断リソース以外の帯域の上り回線無線リソースに生成されたＳＲＳをマッピングし、送信部１５５はＳＲＳの送信信号を所定の送信電力にてマクロセルの基地局へ送信する。
【０２１０】
一方、ステップＳ５２にてＳＲＳを送信するリソースがＳＲＳ送信中断リソースに該当しない場合、または、ステップＳ５３にてマクロ端末から他セルへ与える干渉が大きくない場合は、そのままの（予め設定された）ＳＲＳ送信帯域にてＳＲＳ送信が行われる（ステップＳ５５）。この場合、送信部１５５からの指示に基づき、ＳＲＳ生成部１５４はＳＲＳを生成して、該当ＳＲＳ送信帯域の上り回線無線リソースに生成されたＳＲＳをマッピングし、送信部１５５はＳＲＳの送信信号を所定の送信電力にてマクロセルの基地局へ送信する。
【０２１１】
図５の場合、図２０において、受信部１０９は、マクロ端末からのＳＲＳの受信処理を行う（ステップＳ６１）。そして、チャネル推定部１０７は、ＳＲＳ情報または受信信号の特性情報に基づき、端末（マクロ端末）においてＳＲＳ送信中断が適用されているか否かを判断する（ステップＳ６２）。ここで、ＳＲＳ送信中断が適用されていると判断された場合、チャネル推定部１０７は、ＳＲＳ送信中断リソース（ＳＲＳドロップ帯域）ではない次の周波数ホッピング先の帯域でのチャネル推定を実行する（ステップＳ６３）。そして、チャネル推定部１０７は、ＳＲＳ送信中断リソースではない該当周波数帯域におけるチャネル推定値を算出し、スケジューリング部１０８へ出力する。
【０２１２】
一方、ステップＳ６２にて端末においてＳＲＳ送信中断が適用されていないと判断された場合、チャネル推定部１０７はそのままの（予め設定された）ＳＲＳ送信帯域でチャネル推定を実行する（ステップＳ６４）。そして、チャネル推定部１０７は、該当ＳＲＳ送信帯域におけるチャネル推定値を算出し、スケジューリング部１０８へ出力する。
【０２１３】
図１０の場合、図２０において、受信部２１０は、マクロ端末からのＳＲＳの受信処理を行う（ステップＳ６１）。そして、送信中断判定部２０９は、ＳＲＳ情報または受信信号の特性情報に基づき、端末（マクロ端末）においてＳＲＳ送信中断が適用されているか否かを判断する（ステップＳ６２）。ここで、ＳＲＳ送信中断が適用されていると判断された場合、送信中断判定部２０９はチャネル推定部２０７へ指示を行い、チャネル推定部２０７は、ＳＲＳ送信中断リソース（ＳＲＳドロップ帯域）ではない次の周波数ホッピング先の帯域でのチャネル推定を実行する（ステップＳ６３）。そして、チャネル推定部２０７は、ＳＲＳ送信中断リソースではない該当周波数帯域におけるチャネル推定値を算出し、スケジューリング部２０８へ出力する。
【０２１４】
一方、ステップＳ６２にて端末においてＳＲＳ送信中断が適用されていないと判断された場合、チャネル推定部２０７はそのままの（予め設定された）ＳＲＳ送信帯域でチャネル推定を実行する（ステップＳ６４）。そして、チャネル推定部２０７は、該当ＳＲＳ送信帯域におけるチャネル推定値を算出し、スケジューリング部２０８へ出力する。
【０２１５】
第３の実施形態では、ＳＲＳドロップを適用する端末において、ＳＲＳ送信帯域がＳＲＳドロップ帯域と一致する場合、あるいは、マクロ端末のＳＲＳ送信リソースがＳＲＳドロップリソースと一致しかつマクロ端末から他セルへ与える干渉が大きい（端末と基地局との間のパスロスが大きい状態の端末である）と判定した場合、次のＳＲＳ送信サブフレーム以降にマッピングされる帯域であって、かつＳＲＳドロップ帯域と一致しない帯域にてＳＲＳが送信される。
【０２１６】
これにより、ＳＲＳ送信を中断するサブフレームが減少するため、ＳＲＳ送信レート（ＳＲＳ送信周期）が変わらない。また、ＳＲＳ送信が中断するサブフレームが減少するために、基地局においては精度のよいチャネル推定値が得られ、ＳＲＳを用いたリンクアダプテーションが適切に行われる。
【０２１７】
（第４の実施形態）
ＨｅｔＮｅｔ環境における上り回線干渉対策の第２例として、マクロ端末が送信するＳＲＳにおいて、時間領域ＩＣＩＣを適用する場合を説明する。
【０２１８】
ＩＣＩＣを行う際の送信リソースの設定パターンの制約を解消する方法として、時間領域ＩＣＩＣにおいては、例えば次のような方法が挙げられる。
【０２１９】
図２１は、ＳＲＳ送信における時間領域ＩＣＩＣの適用例を示した図である。この例では、下り回線ＡＢＳから４サブフレーム後を上り回線ＡＢＳと見なして、上り回線の時間領域ＩＣＩＣが行えることに着眼している。
【０２２０】
下り回線ＡＢＳでは下り回線信号を送信できないため、基地局が上り回線データ信号（ＰＵＳＣＨ）の送信のためのスケジューリング制御信号（UL Grant）を、端末へ送信できない。ＬＴＥでは、端末がUL Grantを受信した４サブフレーム後に、端末から基地局へＰＵＳＣＨを送信することが仕様化されている。よって、マクロセルにおいて、UL Grantが送信されない下り回線ＡＢＳから４サブフレーム後はマクロ端末によってＰＵＳＣＨの送信が行われず、ピコセルへ与える干渉が小さくなる。
【０２２１】
そこで、ピコセルでは、下り回線ＡＢＳから４サブフレーム後に上り回線干渉が小さくなることを予想して、そのサブフレームでは、ピコセルのＰＵＳＣＨを高レートで送信することでスループットを向上させることができる。つまり、下り回線ＡＢＳから４サブフレーム後のサブフレームを、上り回線ＡＢＳと見なして、ピコセルが利用できる。
【０２２２】
しかしながら、マクロ端末のＳＲＳ送信は、UL Grantによってトリガーされず、下り回線ＡＢＳから４サブフレーム後（以下、上り回線ＡＢＳという）においても、予め決められた送信タイミングにおいてＳＲＳが送信される可能性がある。よって、ピコセルの基地局が上り回線ＡＢＳにおけるマクロ端末のＳＲＳ送信の有無を把握していない場合、ピコセルにおける上り回線ＡＢＳの干渉レベルを正確に推定することができない。このため、ピコセルにおけるＰＵＳＣＨのリンクアダプテーションが適切に動作せず、ＩＣＩＣによるピコセルのスループットの改善効果が低下してしまうことがある。
【０２２３】
図２１では、マクロセルの下り回線ＡＢＳを３サブフレーム周期に設定し、マクロ端末のＳＲＳ送信周期を２サブフレーム周期に設定した場合の例が示されている。ピコセルの基地局は、下り回線ＡＢＳから４サブフレーム後をマクロセルからの干渉が少ない上り回線ＡＢＳと見なし、この上り回線ＡＢＳでピコセルのＰＵＳＣＨを高レートでスケジューリングする。しかし、図中に示されるように上り回線ＡＢＳにおいてもマクロ端末からＳＲＳが送信される場合があるので、マクロ端末がピコセルのＰＵＳＣＨに大きな干渉を与えてしまう。
【０２２４】
第４の実施形態は、ＳＲＳ送信中断リソースを用いて時間領域ＩＣＩＣを行う場合の動作例を示す。本実施形態では、ＳＲＳドロップリソースとして時間領域の所定のサブフレームを設定する。
【０２２５】
＜基地局の構成及び機能＞
マクロセルの基地局（受信装置）の構成は、図５に示された構成あるいは図１０に示された構成と同様である。第４の実施形態は、ＳＲＳ情報決定部２０１（またはＳＲＳ情報決定部１０１）の動作が異なる。
【０２２６】
ＳＲＳ情報決定部２０１（またはＳＲＳ情報決定部１０１）は、ＳＲＳ情報の一つとして、ＳＲＳ送信を中断するＳＲＳドロップリソースを決定する。ここで、ＳＲＳ情報決定部２０１（またはＳＲＳ情報決定部１０１）は、ＳＲＳドロップリソースを、下り回線ＡＢＳから４サブフレーム後のサブフレームとして設定する。
【０２２７】
＜端末の構成及び機能＞
マクロ端末（送信装置）の構成は、図１１に示された第２の実施形態と同様である。第４の実施形態は、ＳＲＳ送信制御部２５６の動作が異なる。
【０２２８】
ＳＲＳ送信制御部２５６は、ＳＲＳドロップリソースである、下り回線ＡＢＳから４サブフレーム後のサブフレームを判定し、第２の実施形態と同様の動作を行う。この場合、ＳＲＳ送信制御部２５６は、マクロ端末のＳＲＳ送信サブフレームがＳＲＳドロップリソース（下り回線ＡＢＳから４サブフレーム後）と一致するか否かを判定し、ＳＲＳドロップの実行可否を決定する（第１の実施形態における判定に相当）。
【０２２９】
あるいは、ＳＲＳ送信制御部２５６は、マクロ端末のＳＲＳ送信サブフレームがＳＲＳドロップリソース（下り回線ＡＢＳから４サブフレーム後）と一致すると判定し、さらにマクロ端末が与える干渉が大きいと判定した場合（第２の実施形態における判定に相当）に、ＳＲＳドロップの実行を決定する。
【０２３０】
ＳＲＳドロップの実行（端末でのＳＲＳドロップの適用）を決定した場合、ＳＲＳ送信制御部２５６は、ＳＲＳ送信を中断する（ドロップする）指示を送信部２５５へ出力する。一方、ＳＲＳ送信制御部２５６は、ＳＲＳドロップを実行しない場合、ＳＲＳを通常通り送信する指示を送信部２５５へ出力する。
【０２３１】
なお、ＳＲＳ生成部２５４は、ＳＲＳ送信制御部２５６からのＳＲＳドロップの実行可否の指示に基づいて、ＳＲＳ送信をドロップしない場合はＳＲＳを生成し、ドロップする場合はＳＲＳを生成しないようにしてもよい。あるいは、ＳＲＳ生成部２５４は、ＳＲＳ送信制御部２５６からのＳＲＳ送信ドロップの実行可否の指示に基づいて、ＳＲＳをドロップしない場合は生成したＳＲＳをＳＲＳ送信リソースにマッピングし、ドロップする場合は生成したＳＲＳをＳＲＳ送信リソースにマッピングしないようにしてもよい。
【０２３２】
また、マクロ端末（送信装置）の構成は、第２の実施形態および第３の実施形態と同様に、図６に示された第１の実施形態におけるマクロ端末と同様の構成でも実現することが出来る。この場合について、以下に説明する。
【０２３３】
送信部１５５は、ＳＲＳドロップリソースである、下り回線ＡＢＳから４サブフレーム後のサブフレームを判定し、マクロ端末のＳＲＳ送信サブフレームがＳＲＳドロップリソース（下り回線ＡＢＳから４サブフレーム後）と一致するか否かを判定し、ＳＲＳドロップの実行可否を決定する（第１の実施形態における判定に相当）。
【０２３４】
あるいは、送信部１５５は、マクロ端末のＳＲＳ送信サブフレームがＳＲＳドロップリソース（下り回線ＡＢＳから４サブフレーム後）と一致すると判定し、さらにマクロ端末が与える干渉が大きいと判定した場合（第２の実施形態における判定に相当）に、ＳＲＳドロップの実行を決定する。
【０２３５】
ＳＲＳドロップの実行（端末でのＳＲＳドロップの適用）を決定した場合、送信部１５５は、ＳＲＳ送信を中断する（ドロップする）。一方、送信部１５５は、ＳＲＳドロップを実行しない場合、ＳＲＳを通常通り送信する。
【０２３６】
なお、ＳＲＳ生成部１５４は、送信部１５５からのＳＲＳドロップの実行可否の指示に基づいて、ＳＲＳをドロップしない場合はＳＲＳを生成し、ドロップする場合はＳＲＳを生成しないようにしてもよい。あるいは、ＳＲＳ生成部１５４は、送信部１５５からのＳＲＳドロップの実行可否の指示に基づいて、ＳＲＳをドロップしない場合は生成したＳＲＳをＳＲＳ送信リソースにマッピングし、ドロップする場合は生成したＳＲＳをＳＲＳ送信リソースにマッピングしないようにしてもよい。
【０２３７】
下り回線ＡＢＳは、マクロセルの基地局からマクロ端末に明示的に通知してもよいし、明示的に通知せず、マクロ端末において他に通知されたパラメータから下り回線ＡＢＳを推定するようにしてもよい。
【０２３８】
ここで、マクロ端末が下り回線ＡＢＳをマクロセルの基地局から明示的に通知されていない場合、マクロ端末は、下り回線ＡＢＳと相関がある別のパラメータから下り回線ＡＢＳを推定する。例えば、端末がＣＳＩ（Channel State Information）測定を行うサブフレームパターンを指示する２つのパラメータ“csi-SubframeSet1，csi-SubframeSet2”（3GPP TS 36.331参照）を用いることで、下り回線ＡＢＳを推定することができる。
【０２３９】
この２つのパラメータの一方は、下り回線ＡＢＳにおけるチャネル品質を、もう一方はノーマルサブフレーム（ＡＢＳ以外）におけるチャネル品質を、それぞれ測定するために用いられる。よって、マクロ端末は、csi-SubframeSet1，csi-SubframeSet2のうちのいずれか（例えば、チャネル品質が良い方）のサブフレームパターンを、下り回線ＡＢＳパターンとして推定できる。
【０２４０】
また、下り回線参照信号の受信レベル（端末が周期的に基地局に報告する値）の測定を行う対象のサブフレームパターンを指示するパラメータである、“MeasSubframePattern”（3GPP TS 36.331参照）によって、マクロ端末は下り回線ＡＢＳパターンを推定してもよい。
【０２４１】
＜ＳＲＳドロップの適用例＞
図２２は、第４の実施形態における時間領域のＳＲＳドロップの適用例を示す図である。図２２の例は、マクロセルの下り回線ＡＢＳを３サブフレーム周期に設定し、マクロ端末のＳＲＳ送信周期を２サブフレーム周期に設定した場合を示している。マクロセルの下り回線ＡＢＳから４サブフレーム後をＳＲＳドロップリソースとして上り回線ＡＢＳを設定し、上り回線ＡＢＳではマクロ端末がＳＲＳを送信しないようにする。これにより、ＳＲＳ送信を停止したサブフレームにおけるマクロセルからの干渉を低減することができる。
【０２４２】
ピコセルでは、下り回線ＡＢＳから４サブフレーム後ではマクロセルからの干渉が常に小さくなるので、ピコセルの基地局におけるＰＵＳＣＨのリンクアダプテーションを適切に行うことができ、ＩＣＩＣによるピコセルのスループットの改善効果を向上させることができる。
【０２４３】
第４の実施形態では、ＳＲＳドロップリソースをマクロセルの下り回線ＡＢＳから４サブフレーム後とし、ＳＲＳドロップリソースと一致するサブフレームにおいて、あるいは、ＳＲＳドロップリソースと一致するサブフレームにおいてマクロ端末が与える干渉が大きい場合において、ＳＲＳの送信が中断される。これにより、基地局からの明示的な通知なしで端末がＳＲＳの送信中断サブフレームを判断でき、ＳＲＳドロップを適用したサブフレームにおいて、マクロセルからの上り回線干渉を低減させることができる。
【０２４４】
なお、上述した各実施形態では、ピコセルへ干渉を及ぼすマクロセルにおける基地局と端末について説明を行った。しかしながら、上記基地局及び端末を、マクロセルへ干渉を及ぼすピコセルにおける基地局及び端末に置き換えても、同様に機能させることができる。すなわち、上述した各実施形態ではマクロセルにてＳＲＳをドロップする運用を想定して、マクロセルの基地局とマクロ端末の構成としたが、ピコセルにてＳＲＳをドロップする運用を想定し、ピコセルの基地局とピコ端末の構成としても、同様に適用可能である。
【０２４５】
また、上述した各実施形態では、端末がＳＲＳドロップを適用するか否かの判定は、端末自体が行う場合について説明した。しかし、ＳＲＳドロップを適用するか否かの判定は、基地局が行い、判定結果の情報を端末へ通知するような構成でも、同等の効果が得られる。この場合、基地局が端末からの上り回線信号レベルに応じて、例えばピコセルへの上り回線干渉レベルが大きいと予想される端末をドロップさせるなど、上り回線信号レベルに応じてＳＲＳドロップを適用するか否か選択することができる。
【０２４６】
また、上述した各実施形態では、Periodic-SRS（周期的に送信されるＳＲＳ）を想定して説明したが、Aperiodic-SRS（トリガによって送信が促されるＳＲＳ）にも同様に適用可能である。すなわち、Aperiodic-SRSにおいても、トリガー後のＳＲＳ送信リソースがＳＲＳドロップリソースに該当し、ＳＲＳドロップを適用する端末の場合、端末はAperiodic-SRSをドロップする。これにより、ＳＲＳドロップリソースを用いてＳＲＳ送信用のリソースを適切に制限し、上り回線干渉を低減することができる。
【０２４７】
また、上述した各実施形態では、参照信号としてＳＲＳの例を説明したが、ＤＭＲＳ（Demodulation Reference Signal）などの他の参照信号、予め端末の送信リソース（送信帯域と送信タイミング）を決めるSemi-persistent schedulingを適用した上り回線データ信号、あるいは制御信号など一定のタイミングで送信される信号などについても同様に適用可能である。
【０２４８】
また、上り回線に限定されず、下り回線において適用することも可能であり、同様の効果が得られる。つまり、送信装置が端末、受信装置が基地局の場合に限定されず、送信装置が基地局、受信装置が端末の場合など、送信装置、受信装置は、端末、基地局のいずれにも適用可能である。
【０２４９】
また、時間領域ＩＣＩＣに適用する場合、上り回線ＡＢＳとみなすサブフレームにおいて送信される可能性のある信号であれば、ＳＲＳに限らず、他の信号にも適用できる。Ｐｅｒｉｏｄｉｃ−ＳＲＳまたはＡｐｅｒｉｏｄｉｃ−ＳＲＳだけでなく、周期的に送信される信号であって上り回線ＡＢＳとみなすサブフレームにマッピングされる信号であれば、適用可能である。
【０２５０】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲において、上記実施形態における各構成要素を任意に組み合わせてもよい。
【０２５１】
上記各実施形態では、ハードウェアを用いた構成を例にとって説明したが、本発明はハードウェアとの連携においてソフトウェアによっても実現できる。
【０２５２】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２５３】
また、集積回路化の手法はＬＳＩに限るものではなく、専用回路または汎用プロセッサを用いて実現してもよい。ＬＳＩ製造後に、プログラムすることが可能なＦＰＧＡ（Field Programmable Gate Array）、または、ＬＳＩ内部の回路セルの接続及び設定を再構成可能なリコンフィギュラブルプロセッサを利用してもよい。
【０２５４】
また、各機能ブロックの演算は、例えばＤＳＰまたはＣＰＵを含む計算手段を用いて演算できる。さらに、各機能の処理ステップは、プログラムとして記録媒体に記録して実行できる。
【０２５５】
さらには、半導体技術の進歩または派生する別技術によりＬＳＩに置き換わる集積回路化の技術が登場すれば、当然、別技術を用いて機能ブロックを集積化してもよい。将来的にバイオ技術の発達に伴い、ＬＳＩに代わるものが出現した場合にも本発明が適用可能である。
【０２５６】
本出願は、２０１１年９月１６日出願の日本特許出願２０１１−２０３５４７に基づくものであり、その内容はここに参照として取り込まれる。
【産業上の利用可能性】
【０２５７】
本発明は、参照信号のリソースを適切に制限可能とすることで、ＩＣＩＣの適用効果を高めることができる効果を有し、セルラーシステム等の無線通信システムに適用可能な無線送信装置及び無線受信装置、並びに無線通信方法等として有用である。
【符号の説明】
【０２５８】
１０  マクロセル
１１  マクロ端末
１１Ａ  セルエッジ端末
１１Ｂ  セルセンタ端末
１２  基地局（マクロセル）
２０  ピコセル
２１  ピコ端末
２２  基地局（ピコセル）
５１  ＳＲＳドロップ帯域
１０１、２０１  ＳＲＳ情報決定部
１０２、２０２  送信処理部
１１０、１５５、２１１、２５５、３５５  送信部
１０４、１５２、２０４、２５２  アンテナ
１０３、１０５、１５１、２０３、２０５、２５１  無線処理部
１０６、１５３、２０６、２５３  受信処理部
１０７、２０７  チャネル推定部
１０８、２０８  スケジューリング部
１０９、１５６、２１０、２５７  受信部
１５４、２５４、３５４  ＳＲＳ生成部
２０９  送信中断判定部
２５６、３５６  ＳＲＳ送信制御部
【図１】
2013038716.tif 000003
【図２】
2013038716.tif 000004
【図３】
2013038716.tif 000005
【図４】
2013038716.tif 000006
【図５】
2013038716.tif 000007
【図６】
2013038716.tif 000008
【図７】
2013038716.tif 000009
【図８】
2013038716.tif 000010
【図９】
2013038716.tif 000011
【図１０】
2013038716.tif 000012
【図１１】
2013038716.tif 000013
【図１２】
2013038716.tif 000014
【図１３】
2013038716.tif 000015
【図１４】
2013038716.tif 000016
【図１５】
2013038716.tif 000017
【図１６】
2013038716.tif 000018
【図１７】
2013038716.tif 000019
【図１８】
2013038716.tif 000020
【図１９】
2013038716.tif 000021
【図２０】
2013038716.tif 000022
【図２１】
2013038716.tif 000023
【図２２】
2013038716.tif 000024
【国際調査報告】
2013038716.tif 000025
2013038716.tif 000026
2013038716.tif 000027
2013038716.tif 000028
2013038716.tif 000029
2013038716.tif 000030
2013038716.tif 000031
2013038716.tif 000032